(57)【要約】【課題】コンピュータ操作に不慣れな利用者であっても簡単にウェブログの投稿ができ、煩雑な操作手順を省略することができ、利用者が自由に作成した原稿を任意のウェブログに登録することができる、読取画像転送装置、読取画像転送システム、読取画像転送方法、プログラム、シート、および、キャリアシートを提供することを課題とする。【解決手段】画像読取装置と、ネットワークを介してウェブログサーバ装置とに接続された、読取画像転送装置であって、ウェブログサーバ装置の接続先アドレス情報と、ウェブログサーバ装置に対する転送プロトコルと、ウェブログサーバ装置に利用者を識別させるための利用者識別情報と、を少なくとも有する利用者設定情報を記憶し、画像読取装置を制御して原稿から画像情報を読取り、記憶部に格納し、記憶された利用者設定情報に基づいて、格納された画像情報をウェブログサーバ装置に転送することを特徴とする。【選択図】        図１
2008236702.tif 000002
【特許請求の範囲】
【請求項１】
画像読取装置と、ネットワークを介してウェブログサーバ装置とに接続された、記憶部と制御部とを少なくとも備えた読取画像転送装置であって、
上記記憶部は、
上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報を記憶する利用者設定情報記憶手段を備え、
上記制御部は、
上記画像読取装置を制御して原稿から画像情報を読取る画像読取手段と、
上記画像読取手段によって読取られた上記画像情報を上記記憶部に格納する読取画像格納手段と、
上記利用者設定情報記憶手段に記憶された上記利用者設定情報に基づいて、上記読取画像格納手段によって格納された上記画像情報を上記ウェブログサーバ装置に転送する画像転送手段と、
を備えたことを特徴とする読取画像転送装置。
【請求項２】
請求項１に記載の読取画像転送装置において、
上記読取画像転送装置は、
更に表示部と入力部を備え、
上記制御部は、
上記画像読取手段によって読取られた上記画像情報を上記表示部に表示するよう制御する読取画像表示手段と、
上記読取画像表示手段によって表示された上記画像情報を、上記画像転送手段により上記ウェブログサーバ装置に転送させるか否かを、上記利用者に上記入力部を介して入力させるよう制御する転送確認手段と、
を更に備え、
上記画像転送手段は、
上記転送確認手段によって上記利用者により上記画像情報を転送すると入力があった場合に、上記読取画像格納手段によって格納された上記画像情報を上記ウェブログサーバ装置に転送すること、
を特徴とする読取画像転送装置。
【請求項３】
請求項１または２に記載の読取画像転送装置において、
上記記憶部は、
複数の上記ウェブログサーバ装置毎に、上記接続先アドレス情報または上記転送プロトコルを環境設定情報として記憶した各種ウェブログ用環境設定記憶手段を更に備え、
上記制御部は、
上記利用者に上記入力部を介して上記ウェブログサーバ装置の情報を入力させるよう制御し、上記各種ウェブログ用環境設定記憶手段に記憶された上記環境設定情報に基づいて当該ウェブログサーバ装置に対応する上記環境設定情報を上記利用者設定情報に設定し上記利用者設定情報記憶手段に格納する利用者設定編集手段、
を更に備えたことを特徴とする読取画像転送装置。
【請求項４】
上記利用者設定情報は、
更に上記ウェブログサーバ装置の画像掲載フォーマット情報を有し、
上記読取画像格納手段は、
上記画像読取手段によって読取られた上記画像情報を、上記利用者設定情報記憶手段に記憶された上記画像掲載フォーマット情報に基づいて、上記ウェブログサーバ装置の上記画像掲載フォーマットに適合するように変換して上記記憶部に格納すること、
を特徴とする請求項１乃至３のいずれか一つに記載の読取画像転送装置。
【請求項５】
上記制御部は、
上記画像情報から文字、記号または図形を認識して文字等情報を取得する文字等認識手段、
を更に備えたことを特徴とする請求項１乃至４のいずれか一つに記載の読取画像転送装置。
【請求項６】
上記利用者設定情報編集手段は、
上記文字等認識手段により取得された上記文字等情報に基づいて、上記利用者設定情報を編集すること、
を特徴とする請求項５に記載の読取画像転送装置。
【請求項７】
請求項１乃至６のいずれか一つに記載の読取画像転送装置は、更にＩＣカード読取装置に接続され、
上記制御部は、
上記ＩＣカード読取装置を介してＩＣカードの課金制御を行うＩＣカード課金制御手段、
を更に備え、
上記画像転送手段は、
上記ＩＣカード課金制御手段によって上記ＩＣカードから課金された場合に、上記読取画像格納手段によって格納された上記画像情報を上記ウェブログサーバ装置に転送すること、
を特徴とする読取画像転送装置。
【請求項８】
請求項１乃至７のいずれか一つに記載の読取画像転送装置において、
上記記憶部は、
上記利用者のメールアドレス情報と上記利用者識別情報とを対応付けて記憶するメール通知リスト記憶手段、
を更に備え、
上記制御部は、
上記画像転送手段により転送された上記画像情報のウェブログへの掲載が成功したか否かの掲載成否情報を上記ウェブログサーバ装置から受信し、上記利用者識別情報に対応する上記メールアドレスを送信先として、上記掲載成否情報を通知するメールを送信するメール通知手段、
を更に備えたことを特徴とする読取画像転送装置。
【請求項９】
請求項１乃至８のいずれか一つに記載の読取画像転送装置は、更に少なくとも記憶部を備えたウェブログ管理サーバ装置に上記ネットワークを介して接続され、
上記ウェブログ管理サーバ装置の上記記憶部は、
複数の上記ウェブログサーバ装置毎に、上記接続先アドレス情報、上記転送プロトコル、または上記画像掲載フォーマット情報を基本環境設定情報として記憶したウェブログ管理基本情報記憶手段を備え、
上記利用者設定編集手段は、
上記ウェブログ管理基本情報記憶手段に記憶された上記基本環境設定情報を参照し、上記各種ウェブログ用環境設定記憶手段に記憶された上記環境設定情報を更新すること、
を特徴とする読取画像転送装置。
【請求項１０】
画像読取装置に接続され少なくとも記憶部と制御部を備えた読取画像転送装置と、少なくとも記憶部と制御部と表示部と入力部を備えた情報通信端末装置と、ウェブログサーバ装置と、をネットワークを介して通信可能に接続して構成された読取画像転送システムであって、
上記読取画像転送装置の上記記憶部は、
上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報記憶手段を備え、
上記読取画像転送装置の上記制御部は、
上記画像読取装置を制御して原稿から画像情報を読取る画像読取手段と、
上記画像読取手段によって読取られた上記画像情報を上記読取画像転送装置の上記記憶部に格納する読取画像格納手段と、
上記読取画像格納手段によって格納された上記画像情報を添付して上記情報通信端末装置にメールを送信する画像添付メール送信手段と、
上記利用者設定情報記憶手段に記憶された上記利用者設定情報に基づいて、上記読取画像格納手段によって格納された上記画像情報を上記ウェブログサーバ装置に転送する画像転送手段と、
を備え、
上記情報通信端末装置の上記制御部は、
上記画像添付メール送信手段によって送信された上記画像情報を上記情報通信端末装置の上記表示部に表示するよう制御する読取画像表示手段と、
上記読取画像表示手段によって表示された上記画像情報に対応する、上記画像転送手段によって転送された上記画像情報を、ウェブログに掲載するか否かを上記利用者に上記入力部を介して入力させるよう制御する掲載確認手段と、
上記掲載確認手段によって上記利用者により上記画像情報を掲載すると入力があった場合に、上記画像転送手段により転送された上記画像情報が上記ウェブログに掲載されるよう上記ウェブログサーバ装置を制御する掲載指示情報を上記ウェブログサーバ装置に送信する掲載指示送信手段と、
を備えたことを特徴とする読取画像転送システム。
【請求項１１】
請求項１０に記載の読取画像転送システムにおいて、
上記読取画像転送装置の上記記憶部は、
複数の上記ウェブログサーバ装置毎に、上記接続先アドレス情報または上記転送プロトコルを環境設定情報として記憶した各種ウェブログ用環境設定記憶手段を更に備え、
上記読取画像転送装置の上記制御部は、
上記利用者に上記入力部を介して上記ウェブログサーバ装置の情報を入力させるよう制御し、上記各種ウェブログ用環境設定記憶手段に記憶された上記環境設定情報に基づいて当該ウェブログサーバ装置に対応する上記環境設定情報を上記利用者設定情報に設定し上記利用者設定情報記憶手段に格納する利用者設定編集手段、
を更に備えたことを特徴とする読取画像転送システム。
【請求項１２】
上記画像添付メール送信手段は、
画像サイズを縮小した上記画像情報を添付して上記メールを送信すること、
を特徴とする請求項１０または１１に記載の読取画像転送システム。
【請求項１３】
画像読取装置に接続され少なくとも記憶部と制御部を備えた読取画像転送装置と、少なくとも記憶部と制御部と表示部と入力部を備えた情報通信端末装置と、ウェブログサーバ装置と、をネットワークを介して通信可能に接続して構成された読取画像転送システムであって、
上記読取画像転送装置の上記制御部は、
上記画像読取装置を制御して原稿から画像情報を読取る画像読取手段と、
上記画像読取手段によって読取られた上記画像情報を上記読取画像転送装置の上記記憶部に格納する読取画像格納手段と、
上記読取画像格納手段によって格納された上記画像情報を添付して上記情報通信端末装置にメールを送信する画像添付メール送信手段と、
を備え、
上記情報通信端末装置の上記記憶部は、
上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報を記憶する利用者設定情報記憶手段を備え、
上記情報通信端末装置の上記制御部は、
上記画像添付メール送信手段によって送信された上記画像情報を上記情報通信端末装置の上記表示部に表示するよう制御する読取画像表示手段と、
上記読取画像表示手段によって表示された上記画像情報を、上記ウェブログサーバ装置に転送するか否かを、上記利用者に上記入力部を介して入力させるよう制御する転送確認手段と、
上記転送確認手段によって上記利用者により上記画像情報を転送すると入力があった場合に、上記利用者設定情報記憶手段に記憶された上記利用者設定情報に基づいて、上記読取画像格納手段によって格納された上記画像情報を上記ウェブログサーバ装置に転送する画像転送手段と、
を備えたことを特徴とする読取画像転送システム。
【請求項１４】
請求項１３に記載の読取画像転送システムにおいて、
上記情報通信端末装置の上記記憶部は、
複数の上記ウェブログサーバ装置毎に、上記接続先アドレス情報または上記転送プロトコルを環境設定情報として記憶した各種ウェブログ用環境設定記憶手段を更に備え、
上記情報通信端末装置の上記制御部は、
上記利用者に上記入力部を介して上記ウェブログサーバ装置の情報を入力させるよう制御し、上記各種ウェブログ用環境設定記憶手段に記憶された上記環境設定情報に基づいて当該ウェブログサーバ装置に対応する上記環境設定情報を上記利用者設定情報に設定し上記利用者設定情報記憶手段に格納する利用者設定編集手段、
を更に備えたことを特徴とする読取画像転送システム。
【請求項１５】
上記利用者設定情報は、
更に上記ウェブログサーバ装置の画像掲載フォーマット情報を有し、
上記読取画像格納手段は、
上記画像読取手段によって読取られた上記画像情報を、上記利用者設定情報記憶手段に記憶された上記画像掲載フォーマット情報に基づいて、上記ウェブログサーバ装置の画像掲載フォーマットに適合するように変換して上記記憶部に格納すること、
を特徴とする請求項１０乃至１４のいずれか一つに記載の読取画像転送システム。
【請求項１６】
上記読取画像転送装置の上記制御部は、
上記画像情報から文字、記号または図形を認識して文字等情報を取得する文字等認識手段、
を更に備えたことを特徴とする請求項１０乃至１５のいずれか一つに記載の読取画像転送システム。
【請求項１７】
上記利用者設定情報編集手段は、
上記文字等認識手段により取得された上記文字等情報に基づいて、上記利用者設定情報を編集するよう制御すること、
を更に備えたことを特徴とする請求項１６に記載の読取画像転送システム。
【請求項１８】
請求項１０乃至１７のいずれか一つに記載の読取画像転送システムにおいて、
上記読取画像転送装置は、更に赤外線通信装置に接続され、
上記読取画像転送装置の上記制御部は、
上記赤外線通信装置を制御して赤外線通信を行い利用者ＩＤ情報および／またはメールアドレス情報を取得する赤外線通信手段と、
上記赤外線通信手段によって取得された上記利用者ＩＤ情報および／または上記メールアドレス情報を上記読取画像転送装置の上記記憶部に格納する利用者情報格納手段と、
を更に備え、
上記画像添付メール送信手段は、
上記赤外線通信手段により取得された上記利用者ＩＤに対応する上記利用者情報格納手段により上記記憶部に格納された上記メールアドレス、または、上記赤外線通信手段によって取得された上記メールアドレスを送信先として、上記メールを上記情報通信端末装置に送信すること、
を特徴とする読取画像転送システム。
【請求項１９】
上記読取画像転送装置は、更にＩＣカード読取装置に接続され、
上記読取画像転送装置の上記制御部は、
上記ＩＣカード読取装置を介してＩＣカードの課金制御を行うＩＣカード課金制御手段、
を更に備え、
上記画像添付メール送信手段は、
上記ＩＣカード課金制御手段によって上記ＩＣカードから課金された場合に、上記読取画像格納手段によって格納された上記画像情報を添付して上記情報通信端末装置に上記メールを送信すること、
を特徴とする請求項１０乃至１８のいずれか一つに記載の読取画像転送システム。
【請求項２０】
請求項１０乃至１９のいずれか一つに記載の読取画像転送システムは、少なくとも記憶部を備えたウェブログ管理サーバ装置を更に備えて構成され、
上記ウェブログ管理サーバ装置の上記記憶部は、
複数の上記ウェブログサーバ装置毎に、上記接続先アドレス情報、上記転送プロトコル、または上記画像掲載フォーマット情報を基本環境設定情報として記憶したウェブログ管理基本情報記憶手段を備え、
上記利用者設定編集手段は、
上記ネットワークを介して、上記ウェブログ管理基本情報記憶手段に記憶された上記基本環境設定情報を参照し、上記各種ウェブログ用環境設定記憶手段に記憶された上記環境設定情報を更新すること、
を特徴とする読取画像転送システム。
【請求項２１】
請求項１０乃至２０のいずれか一つに記載の読取画像転送システムにおいて、
上記読取画像転送装置の上記記憶部は、
上記利用者のメールアドレス情報と上記利用者識別情報とを対応付けて記憶するメール通知リスト記憶手段、
を更に備え、
上記制御部は、
上記画像転送手段により転送された上記画像情報の上記ウェブログへの掲載が成功したか否かの掲載成否情報を上記ウェブログサーバ装置から受信し、上記メール通知リスト記憶手段に記憶された上記利用者識別情報に対応する上記メールアドレスを送信先として、上記掲載成否情報を通知するメールを送信するメール通知手段、
を更に備えたことを特徴とする読取画像転送システム。
【請求項２２】
請求項１０乃至２１のいずれか一つに記載の読取画像転送システムにおいて、
上記情報通信端末装置は、更に出力部を備え、
上記情報通信端末装置の上記制御部は、
上記画像転送手段により転送された上記画像情報の上記ウェブログへの掲載が成功したか否かの上記掲載成否情報を、上記ウェブログサーバ装置または上記読取画像転送装置から受信して、上記出力部に出力する掲載成否情報出力手段、
を更に備えたことを特徴とする読取画像転送システム。
【請求項２３】
画像読取装置と、ネットワークを介してウェブログサーバ装置とに接続された、記憶部と制御部とを少なくとも備えた読取画像転送装置において実行される読取画像転送方法であって、
上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報記憶手段を備えており、
上記制御部において実行される、
上記画像読取装置を制御して原稿から画像情報を読取る画像読取ステップと、
上記画像読取ステップにおいて読取られた上記画像情報を上記記憶部に格納する読取画像格納ステップと、
上記利用者設定情報記憶手段に記憶された上記利用者設定情報に基づいて、上記読取画像格納ステップにおいて格納された上記画像情報を上記ウェブログサーバ装置に転送する画像転送ステップと、
を含むことを特徴とする読取画像転送方法。
【請求項２４】
画像読取装置に接続され少なくとも記憶部と制御部を備えた読取画像転送装置と、少なくとも記憶部と制御部と表示部と入力部を備えた情報通信端末装置と、をネットワークを介してウェブログサーバ装置に接続して構成された読取画像転送システムにおいて実行される読取画像転送方法であって、
上記読取画像転送装置の上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報を記憶する利用者設定情報記憶手段を備えており、
上記読取画像転送装置の上記制御部において実行される、
上記画像読取装置を制御して原稿から画像情報を読取る画像読取ステップと、
上記画像読取ステップにおいて読取られた上記画像情報を上記読取画像転送装置の上記記憶部に格納する読取画像格納ステップと、
上記読取画像格納ステップにおいて格納された上記画像情報を添付して上記情報通信端末装置にメールを送信する画像添付メール送信ステップと、
上記利用者設定情報記憶手段に記憶された上記利用者設定情報に基づいて、上記読取画像格納ステップにおいて格納された上記画像情報を上記ウェブログサーバ装置に転送する画像転送ステップと、
上記情報通信端末装置の上記制御部において実行される、
上記画像添付メール送信ステップにおいて送信された上記画像情報を上記情報通信端末装置の上記表示部に表示するよう制御する読取画像表示ステップと、
上記読取画像表示ステップにおいて表示された上記画像情報に対応する、上記画像転送ステップにおいて転送された上記画像情報を、ウェブログに掲載するか否かを上記利用者に上記入力部を介して入力させるよう制御する掲載確認ステップと、
上記掲載確認ステップにおいて上記利用者により上記画像情報を掲載すると入力があった場合に、上記画像転送ステップにおいて転送された上記画像情報が上記ウェブログに掲載されるよう上記ウェブログサーバ装置を制御する掲載指示情報を上記ウェブログサーバ装置に送信する掲載指示送信ステップと、
を含むことを特徴とする読取画像転送方法。
【請求項２５】
画像読取装置に接続され少なくとも記憶部と制御部を備えた読取画像転送装置と、少なくとも記憶部と制御部と表示部と入力部を備えた情報通信端末装置と、をネットワークを介してウェブログサーバ装置に接続して構成された読取画像転送システムにおいて実行される読取画像転送方法であって、
上記情報通信端末装置の上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報を記憶する利用者設定情報記憶手段を備えており、
上記読取画像転送装置の上記制御部において実行される、
上記画像読取装置を制御して原稿から画像情報を読取る画像読取ステップと、
上記画像読取ステップにおいて読取られた上記画像情報を上記読取画像転送装置の上記記憶部に格納する読取画像格納ステップと、
上記読取画像格納ステップにおいて格納された上記画像情報を添付して上記情報通信端末装置にメールを送信する画像添付メール送信ステップと、
上記情報通信端末装置の上記制御部において実行される、
上記画像添付メール送信ステップにおいて送信された上記画像情報を上記情報通信端末装置の上記表示部に表示するよう制御する読取画像表示ステップと、
上記読取画像表示ステップにおいて表示された上記画像情報を、上記ウェブログサーバ装置に転送するか否かを、上記利用者に上記入力部を介して入力させるよう制御する転送確認ステップと、
上記転送確認ステップにおいて上記利用者により上記画像情報を転送すると入力があった場合に、上記利用者設定情報記憶手段に記憶された上記利用者設定情報に基づいて、上記読取画像格納ステップにおいて格納された上記画像情報を上記ウェブログサーバ装置に転送する画像転送ステップと、
を含むことを特徴とする読取画像転送方法。
【請求項２６】
画像読取装置と、ネットワークを介してウェブログサーバ装置とに接続された、記憶部と制御部とを少なくとも備えた読取画像転送装置に実行させるためのプログラムであって、
上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報記憶手段を備えており、
上記制御部において実行される、
上記画像読取装置を制御して原稿から画像情報を読取る画像読取ステップと、
上記画像読取ステップにおいて読取られた上記画像情報を上記記憶部に格納する読取画像格納ステップと、
上記利用者設定情報記憶手段に記憶された上記利用者設定情報に基づいて、上記読取画像格納ステップにおいて格納された上記画像情報を上記ウェブログサーバ装置に転送する画像転送ステップと、
を含むことを特徴とするプログラム。
【請求項２７】
ネットワークを介してウェブログサーバ装置に接続された読取画像転送装置に、画像読取装置を介して画像情報を読取らせるためのシートであって、
上記ウェブログサーバ装置の接続先アドレス情報、上記ウェブログサーバ装置に対する転送プロトコル、および、上記ウェブログサーバ装置に利用者を識別させるための利用者識別情報のうち少なくとも一つを、上記読取画像転送装置に読取らせるよう表示することを特徴とするシート。
【請求項２８】
ネットワークを介してウェブログサーバ装置に接続された読取画像転送装置に、無線通信手段を備えた画像読取装置を介して画像情報を読取らせるためのシートであって、
上記ウェブログサーバ装置の接続先アドレス情報、上記ウェブログサーバ装置に対する転送プロトコル、および、上記ウェブログサーバ装置に利用者を識別させるための利用者識別情報のうち少なくとも一つを記憶し、上記無線通信手段を介して上記読取画像転送装置に送信する記憶送信手段を備えたことを特徴とするシート。
【請求項２９】
ネットワークを介してウェブログサーバ装置に接続された読取画像転送装置に、画像読取装置を介して画像情報を読取らせるための原稿を、上記画像読取装置に搬送するキャリアシートであって、
透明シートおよび台紙シートを備え、
上記透明シートと上記台紙シートの少なくとも一辺を上記原稿を挿入可能に固定し、
上記ウェブログサーバ装置の接続先アドレス情報、上記ウェブログサーバ装置に対する転送プロトコル、および、上記ウェブログサーバ装置に利用者を識別させるための利用者識別情報のうち少なくとも一つを、上記読取画像転送装置に読取らせるよう、上記透明シートおよび上記台紙シートのうち少なくとも一つに表示することを特徴とするキャリアシート。
【請求項３０】
ネットワークを介してウェブログサーバ装置に接続された読取画像転送装置に、無線通信手段を備えた画像読取装置を介して画像情報を読取らせるための原稿を、上記画像読取装置に搬送するキャリアシートであって、
透明シートおよび台紙シートを備え、
上記透明シートと上記台紙シートの少なくとも一辺を上記原稿を挿入可能に固定し、
上記ウェブログサーバ装置の接続先アドレス情報、上記ウェブログサーバ装置に対する転送プロトコル、および、上記ウェブログサーバ装置に利用者を識別させるための利用者識別情報のうち少なくとも一つを記憶し、上記無線通信手段を介して上記読取画像転送装置に送信する記憶送信手段を備えたことを特徴とするキャリアシート。
【発明の詳細な説明】
【技術分野】
【０００１】
本発明は、読取画像転送装置、読取画像転送システム、読取画像転送方法、プログラム、シート、および、キャリアシートに関し、特に、画像読取装置を用いて読取った画像をウェブログ用サーバ装置に転送する読取画像転送装置、読取画像転送システム、読取画像転送方法、およびプログラムに関する。
【背景技術】
【０００２】
近年、ＷＷＷ（World Wide Web）を通じてウェブログ（Ｗｅｂｌｏｇ）が広く用いられてきている。ウェブログでは、通常、利用者が、記事の投稿や、カテゴリの作成、コンテンツの更新などを行うためのブラウザインタフェースを備えて構成されている。
【０００３】
ここで、一般に、キーボード入力やマウス入力などのコンピュータの操作に不慣れな利用者にとっては、ウェブログの記事の投稿やコンテンツの更新などの作業を行うことは難しい。
【０００４】
また、ブログに投稿するには、インターネット接続の他、通常、（１）ブラウザを起動、（２）ＵＲＬを入力、（３）ユーザ名とパスワードの入力、（４）記事入力等の操作手順が必要であり、コンピュータの操作に慣れた利用者にとっても煩雑である。
【０００５】
また、通常のＷｅｂページに比べて、ウェブログの場合、ウェブログサービスやウェブログシステムによって、記事の投稿方法や画像データの登録方法が異なるため、自由にウェブログを選択して投稿する為には投稿方法や登録方法の差異に関する知識を要する。
【０００６】
また、ウェブログに紙文書などの画像を投稿したい場合には、画像の電子化を行う必要があるが、デジタルカメラ等で読取った画像情報を、投稿のためにコンピュータなどの情報処理装置に取り込むことは煩雑である。
【０００７】
ここで、簡易にウェブログに画像情報を登録することができる技術として、特許文献１が存在する。特許文献１に記載の装置は、ファクシミリ受信機能で受信した画情報をウェブログへ登録するよう制御する通信装置である。
【０００８】
また、画像を読取らせるための媒体に関する文献として、特許文献２が存在する。特許文献２に記載の媒体は、原稿を搬送するために透明なシートと台紙の２枚で構成されたキャリアシートである。
【０００９】
【特許文献１】特開２００６−２４５９８１号公報
【特許文献２】特開平８−２５６２４１号公報
【発明の開示】
【発明が解決しようとする課題】
【００１０】
しかしながら、特許文献１に記載の通信装置は、ファックス装置やファックス用回線を必須の構成とするものであり、特定の通信プロトコルを用いて、ファクシミリ受信した画情報を予め登録されたウェブログに対して特定のマークアップ言語で登録を行うものであるため、利用者が自由に作成した原稿の画像情報を任意のウェブログに登録することはできないという問題があった。
【００１１】
また、特許文献２に記載の媒体では、原稿の搬送の用途に用いることができるものの、読取った画像情報をウェブログに投稿するための工夫が全くないという問題がある。
【００１２】
本発明は、上記に鑑みてなされたもので、コンピュータ操作に不慣れな利用者であっても簡単にウェブログの投稿ができ、その他の利用者にとっても煩雑な操作手順を省略することができる、読取画像転送装置、読取画像転送システム、読取画像転送方法、プログラム、シート、および、キャリアシートを提供することを目的とする。また、ウェブログ間での投稿方法や登録方法の差異を意識することなく、利用者が自由に作成した原稿を任意のウェブログに登録することができる、読取画像転送装置、読取画像転送システム、読取画像転送方法、およびプログラムを提供することを目的とする。
【課題を解決するための手段】
【００１３】
このような目的を達成するため、請求項１に記載の読取画像転送装置は、画像読取装置と、ネットワークを介してウェブログサーバ装置とに接続された、記憶部と制御部とを少なくとも備えた読取画像転送装置であって、上記記憶部は、上記ウェブログサーバ装置の読取装置を制御して原稿から画像情報を読取る画像読取手段と、上記画像読取手段によって読取られた上記画像情報を上記記憶部に格納する読取画像格納手段と、上記利用者設定情報記憶手段に記憶された上記利用者設定情報に基づいて、上記読取画像格納手段によって格納された上記画像情報を上記ウェブログサーバ装置に転送する画像転送手段と、を備えたことを特徴とする。
【００１４】
また、請求項２に記載の読取画像転送装置は、請求項１に記載の読取画像転送装置において、上記読取画像転送装置は、更に表示部と入力部を備え、上記制御部は、上記画像読取手段によって読取られた上記画像情報を上記表示部に表示するよう制御する読取画像表示手段と、上記読取画像表示手段によって表示された上記画像情報を、上記画像転送手段により上記ウェブログサーバ装置に転送させるか否かを、上記利用者に上記入力部を介して入力させるよう制御する転送確認手段と、を更に備え、上記画像転送手段は、上記転送確認手段によって上記利用者により上記画像情報を転送すると入力があった場合に、上記読取画像格納手段によって格納された上記画像情報を上記ウェブログサーバ装置に転送すること、を特徴とする。
【００１５】
また、請求項３に記載の読取画像転送装置は、請求項１または２に記載の読取画像転送装置において、上記記憶部は、複数の上記ウェブログサーバ装置毎に、上記接続先アドレス情報または上記転送プロトコルを環境設定情報として記憶した各種ウェブログ用環境設定記憶手段を更に備え、上記制御部は、上記利用者に上記入力部を介して上記ウェブログサーバ装置の情報を入力させるよう制御し、上記各種ウェブログ用環境設定記憶手段に記憶された上記環境設定情報に基づいて当該ウェブログサーバ装置に対応する上記環境設定情報を上記利用者設定情報に設定し上記利用者設定情報記憶手段に格納する利用者設定編集手段、を更に備えたことを特徴とする。
【００１６】
また、請求項４に記載の読取画像転送装置は、請求項１乃至３のいずれか一つに記載の読取画像転送装置において、上記利用者設定情報は、更に上記ウェブログサーバ装置の画像掲載フォーマット情報を有し、上記読取画像格納手段は、上記画像読取手段によって読取られた上記画像情報を、上記利用者設定情報記憶手段に記憶された上記画像掲載フォーマット情報に基づいて、上記ウェブログサーバ装置の上記画像掲載フォーマットに適合するように変換して上記記憶部に格納すること、を特徴とする。
【００１７】
また、請求項５に記載の読取画像転送装置は、請求項１乃至４のいずれか一つに記載の読取画像転送装置において、上記制御部は、上記画像情報から文字、記号または図形を認識して文字等情報を取得する文字等認識手段、を更に備えたことを特徴とする。
【００１８】
また、請求項６に記載の読取画像転送装置は、請求項５に記載の読取画像転送装置において、上記利用者設定情報編集手段は、上記文字等認識手段により取得された上記文字等情報に基づいて、上記利用者設定情報を編集すること、を特徴とする。
【００１９】
また、請求項７に記載の読取画像転送装置は、請求項１乃至６のいずれか一つに記載の読取画像転送装置において、更にＩＣカード読取装置に接続され、上記制御部は、上記ＩＣカード読取装置を介してＩＣカードの課金制御を行うＩＣカード課金制御手段、を更に備え、上記画像転送手段は、上記ＩＣカード課金制御手段によって上記ＩＣカードから課金された場合に、上記読取画像格納手段によって格納された上記画像情報を上記ウェブログサーバ装置に転送すること、を特徴とする。
【００２０】
また、請求項８に記載の読取画像転送装置は、請求項１乃至７のいずれか一つに記載の読取画像転送装置において、上記記憶部は、上記利用者のメールアドレス情報と上記利用者識別情報とを対応付けて記憶するメール通知リスト記憶手段、を更に備え、上記制御部は、上記画像転送手段により転送された上記画像情報のウェブログへの掲載が成功したか否かの掲載成否情報を上記ウェブログサーバ装置から受信し、上記利用者識別情報に対応する上記メールアドレスを送信先として、上記掲載成否情報を通知するメールを送信するメール通知手段、を更に備えたことを特徴とする。
【００２１】
また、請求項９に記載の読取画像転送装置は、請求項１乃至８のいずれか一つに記載の読取画像転送装置において、更に少なくとも記憶部を備えたウェブログ管理サーバ装置に上記ネットワークを介して接続され、上記ウェブログ管理サーバ装置の上記記憶部は、複数の上記ウェブログサーバ装置毎に、上記接続先アドレス情報、上記転送プロトコル、または上記画像掲載フォーマット情報を基本環境設定情報として記憶したウェブログ管理基本情報記憶手段を備え、上記利用者設定編集手段は、上記ウェブログ管理基本情報記憶手段に記憶された上記基本環境設定情報を参照し、上記各種ウェブログ用環境設定記憶手段に記憶された上記環境設定情報を更新すること、を特徴とする。
【００２２】
また、請求項１０に記載の読取画像転送システムは、画像読取装置に接続され少なくとも記憶部と制御部を備えた読取画像転送装置と、少なくとも記憶部と制御部と表示部と入力部を備えた情報通信端末装置と、ウェブログサーバ装置と、をネットワークを介して通信可能に接続して構成された読取画像転送システムであって、上記読取画像転送装置の上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報記憶手段を備え、上記読取画像転送装置の上記制御部は、上記画像読取装置を制御して原稿から画像情報を読取る画像読取手段と、上記画像読取手段によって読取られた上記画像情報を上記読取画像転送装置の上記記憶部に格納する読取画像格納手段と、上記読取画像格納手段によって格納された上記画像情報を添付して上記情報通信端末装置にメールを送信する画像添付メール送信手段と、上記利用者設定情報記憶手段に記憶された上記利用者設定情報に基づいて、上記読取画像格納手段によって格納された上記画像情報を上記ウェブログサーバ装置に転送する画像転送手段と、を備え、上記情報通信端末装置の上記制御部は、上記画像添付メール送信手段によって送信された上記画像情報を上記情報通信端末装置の上記表示部に表示するよう制御する読取画像表示手段と、上記読取画像表示手段によって表示された上記画像情報に対応する、上記画像転送手段によって転送された上記画像情報を、ウェブログに掲載するか否かを上記利用者に上記入力部を介して入力させるよう制御する掲載確認手段と、上記掲載確認手段によって上記利用者により上記画像情報を掲載すると入力があった場合に、上記画像転送手段により転送された上記画像情報が上記ウェブログに掲載されるよう上記ウェブログサーバ装置を制御する掲載指示情報を上記ウェブログサーバ装置に送信する掲載指示送信手段と、を備えたことを特徴とする。
【００２３】
また、請求項１１に記載の読取画像転送システムは、請求項１０に記載の読取画像転送システムにおいて、上記読取画像転送装置の上記記憶部は、複数の上記ウェブログサーバ装置毎に、上記接続先アドレス情報または上記転送プロトコルを環境設定情報として記憶した各種ウェブログ用環境設定記憶手段を更に備え、上記読取画像転送装置の上記制御部は、上記利用者に上記入力部を介して上記ウェブログサーバ装置の情報を入力させるよう制御し、上記各種ウェブログ用環境設定記憶手段に記憶された上記環境設定情報に基づいて当該ウェブログサーバ装置に対応する上記環境設定情報を上記利用者設定情報に設定し上記利用者設定情報記憶手段に格納する利用者設定編集手段、を更に備えたことを特徴とする。
【００２４】
また、請求項１２に記載の読取画像転送システムは、請求項１０または１１に記載の読取画像転送システムにおいて、上記画像添付メール送信手段は、画像サイズを縮小した上記画像情報を添付して上記メールを送信すること、を特徴とする。
【００２５】
また、請求項１３に記載の読取画像転送システムは、画像読取装置に接続され少なくとも記憶部と制御部を備えた読取画像転送装置と、少なくとも記憶部と制御部と表示部と入力部を備えた情報通信端末装置と、ウェブログサーバ装置と、をネットワークを介して通信可能に接続して構成された読取画像転送システムであって、上記読取画像転送装置の上記制御部は、上記画像読取装置を制御して原稿から画像情報を読取る画像読取手段と、上記画像読取手段によって読取られた上記画像情報を上記読取画像転送装置の上記記憶部に格納する読取画像格納手段と、上記読取画像格納手段によって格納された上記画像情報を添付して上記情報通信端末装置にメールを送信する画像添付メール送信手段と、を備え、上記情報通信端末装置の上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報を記憶する利用者設定情報記憶手段を備え、上記情報通信端末装置の上記制御部は、上記画像添付メール送信手段によって送信された上記画像情報を上記情報通信端末装置の上記表示部に表示するよう制御する読取画像表示手段と、上記読取画像表示手段によって表示された上記画像情報を、上記ウェブログサーバ装置に転送するか否かを、上記利用者に上記入力部を介して入力させるよう制御する転送確認手段と、上記転送確認手段によって上記利用者により上記画像情報を転送すると入力があった場合に、上記利用者設定情報記憶手段に記憶された上記利用者設定情報に基づいて、上記読取画像格納手段によって格納された上記画像情報を上記ウェブログサーバ装置に転送する画像転送手段と、を備えたことを特徴とする。
【００２６】
また、請求項１４に記載の読取画像転送システムは、請求項１３に記載の読取画像転送システムにおいて、上記情報通信端末装置の上記記憶部は、複数の上記ウェブログサーバ装置毎に、上記接続先アドレス情報または上記転送プロトコルを環境設定情報として記憶した各種ウェブログ用環境設定記憶手段を更に備え、上記情報通信端末装置の上記制御部は、上記利用者に上記入力部を介して上記ウェブログサーバ装置の情報を入力させるよう制御し、上記各種ウェブログ用環境設定記憶手段に記憶された上記環境設定情報に基づいて当該ウェブログサーバ装置に対応する上記環境設定情報を上記利用者設定情報に設定し上記利用者設定情報記憶手段に格納する利用者設定編集手段、を更に備えたことを特徴とする。
【００２７】
また、請求項１５に記載の読取画像転送システムは、請求項１０乃至１４のいずれか一つに記載の読取画像転送システムにおいて、上記利用者設定情報は、更に上記ウェブログサーバ装置の画像掲載フォーマット情報を有し、上記読取画像格納手段は、上記画像読取手段によって読取られた上記画像情報を、上記利用者設定情報記憶手段に記憶された上記画像掲載フォーマット情報に基づいて、上記ウェブログサーバ装置の上記画像掲載フォーマットに適合するように変換して上記記憶部に格納すること、を特徴とする。
【００２８】
また、請求項１６に記載の読取画像転送システムは、請求項１０乃至１５のいずれか一つに記載の読取画像転送システムにおいて、上記読取画像転送装置の上記制御部は、上記画像情報から文字、記号または図形を認識して文字等情報を取得する文字等認識手段、を更に備えたことを特徴とする。
【００２９】
また、請求項１７に記載の読取画像転送システムは、請求項１６に記載の読取画像転送システムにおいて、上記利用者設定情報編集手段は、上記文字等認識手段により取得された上記文字等情報に基づいて、上記利用者設定情報を編集するよう制御すること、を更に備えたことを特徴とする。
【００３０】
また、請求項１８に記載の読取画像転送システムは、請求項１０乃至１７のいずれか一つに記載の読取画像転送システムにおいて、上記読取画像転送装置は、更に赤外線通信装置に接続され、上記読取画像転送装置の上記制御部は、上記赤外線通信装置を制御して赤外線通信を行い利用者ＩＤ情報および／またはメールアドレス情報を取得する赤外線通信手段と、上記赤外線通信手段によって取得された上記利用者ＩＤ情報および／または上記メールアドレス情報を上記読取画像転送装置の上記記憶部に格納する利用者情報格納手段と、を更に備え、上記画像添付メール送信手段は、上記赤外線通信手段により取得された上記利用者ＩＤ情報に対応する上記利用者情報格納手段により上記記憶部に格納された上記メールアドレス、または、上記赤外線通信手段によって取得された上記メールアドレスを送信先として、上記メールを上記情報通信端末装置に送信すること、を特徴とする。
【００３１】
また、請求項１９に記載の読取画像転送システムは、請求項１０乃至１８のいずれか一つに記載の読取画像転送システムにおいて、上記読取画像転送装置は、更にＩＣカード読取装置に接続され、上記読取画像転送装置の上記制御部は、上記ＩＣカード読取装置を介してＩＣカードの課金制御を行うＩＣカード課金制御手段、を更に備え、上記画像添付メール送信手段は、上記ＩＣカード課金制御手段によって上記ＩＣカードから課金された場合に、上記読取画像格納手段によって格納された上記画像情報を添付して上記情報通信端末装置に上記メールを送信すること、を特徴とする。
【００３２】
また、請求項２０に記載の読取画像転送システムは、請求項１０乃至１９のいずれか一つに記載の読取画像転送システムにおいて、少なくとも記憶部を備えたウェブログ管理サーバ装置を更に備えて構成され、上記ウェブログ管理サーバ装置の上記記憶部は、複数の上記ウェブログサーバ装置毎に、上記接続先アドレス情報、上記転送プロトコル、または上記画像掲載フォーマット情報を基本環境設定情報として記憶したウェブログ管理基本情報記憶手段を備え、上記利用者設定編集手段は、上記ネットワークを介して、上記ウェブログ管理基本情報記憶手段に記憶された上記基本環境設定情報を参照し、上記各種ウェブログ用環境設定記憶手段に記憶された上記環境設定情報を更新すること、を特徴とする。
【００３３】
また、請求項２１に記載の読取画像転送システムは、請求項１０乃至２０のいずれか一つに記載の読取画像転送システムにおいて、上記読取画像転送装置の上記記憶部は、上記利用者のメールアドレス情報と上記利用者識別情報とを対応付けて記憶するメール通知リスト記憶手段、を更に備え、上記制御部は、上記画像転送手段により転送された上記画像情報の上記ウェブログへの掲載が成功したか否かの掲載成否情報を上記ウェブログサーバ装置から受信し、上記メール通知リスト記憶手段に記憶された上記利用者識別情報に対応する上記メールアドレスを送信先として、上記掲載成否情報を通知するメールを送信するメール通知手段、を更に備えたことを特徴とする。
【００３４】
また、請求項２２に記載の読取画像転送システムは、請求項１０乃至２１のいずれか一つに記載の読取画像転送システムにおいて、上記情報通信端末装置の上記制御部は、上記画像転送手段により転送された上記画像情報の上記ウェブログへの掲載が成功したか否かの上記掲載成否情報を、上記ウェブログサーバ装置または上記読取画像転送装置から受信する掲載成否情報出力手段、を更に備えたことを特徴とする。
【００３５】
また、請求項２３に記載の読取画像転送方法は、画像読取装置と、ネットワークを介してウェブログサーバ装置とに接続された、記憶部と制御部とを少なくとも備えた読取画像転送装置において実行される読取画像転送方法であって、上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報記憶手段を備えており、上記制御部において実行される、上記画像読取装置を制御して原稿から画像情報を読取る画像読取ステップと、上記画像読取ステップにおいて読取られた上記画像情報を上記記憶部に格納する読取画像格納ステップと、上記利用者設定情報記憶手段に記憶された上記利用者設定情報に基づいて、上記読取画像格納ステップにおいて格納された上記画像情報を上記ウェブログサーバ装置に転送する画像転送ステップと、を含むことを特徴とする。
【００３６】
また、請求項２４に記載の読取画像転送方法は、画像読取装置に接続され少なくとも記憶部と制御部を備えた読取画像転送装置と、少なくとも記憶部と制御部と表示部と入力部を備えた情報通信端末装置と、をネットワークを介してウェブログサーバ装置に接続して構成された読取画像転送システムにおいて実行される読取画像転送方法であって、上記読取画像転送装置の上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報を記憶する利用者設定情報記憶手段を備えており、上記読取画像転送装置の上記制御部において実行される、上記画像読取装置を制御して原稿から画像情報を読取る画像読取ステップと、上記画像読取ステップにおいて読取られた上記画像情報を上記読取画像転送装置の上記記憶部に格納する読取画像格納ステップと、上記読取画像格納ステップにおいて格納された上記画像情報を添付して上記情報通信端末装置にメールを送信する画像添付メール送信ステップと、上記利用者設定情報記憶手段に記憶された上記利用者設定情報に基づいて、上記読取画像格納ステップにおいて格納された上記画像情報を上記ウェブログサーバ装置に転送する画像転送ステップと、上記情報通信端末装置の上記制御部において実行される、上記画像添付メール送信ステップにおいて送信された上記画像情報を上記情報通信端末装置の上記表示部に表示するよう制御する読取画像表示ステップと、上記読取画像表示ステップにおいて表示された上記画像情報に対応する、上記画像転送ステップにおいて転送された上記画像情報を、ウェブログに掲載するか否かを上記利用者に上記入力部を介して入力させるよう制御する掲載確認ステップと、上記掲載確認ステップにおいて上記利用者により上記画像情報を掲載すると入力があった場合に、上記画像転送ステップにおいて転送された上記画像情報が上記ウェブログに掲載されるよう上記ウェブログサーバ装置を制御する掲載指示情報を上記ウェブログサーバ装置に送信する掲載指示送信ステップと、を含むことを特徴とする。
【００３７】
また、請求項２５に記載の読取画像転送方法は、画像読取装置に接続され少なくとも記憶部と制御部を備えた読取画像転送装置と、少なくとも記憶部と制御部と表示部と入力部を備えた情報通信端末装置と、をネットワークを介してウェブログサーバ装置に接続して構成された読取画像転送システムにおいて実行される読取画像転送方法であって、上記情報通信端末装置の上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報を記憶する利用者設定情報記憶手段を備えており、上記読取画像転送装置の上記制御部において実行される、上記画像読取装置を制御して原稿から画像情報を読取る画像読取ステップと、上記画像読取ステップにおいて読取られた上記画像情報を上記読取画像転送装置の上記記憶部に格納する読取画像格納ステップと、上記読取画像格納ステップにおいて格納された上記画像情報を添付して上記情報通信端末装置にメールを送信する画像添付メール送信ステップと、上記情報通信端末装置の上記制御部において実行される、上記画像添付メール送信ステップにおいて送信された上記画像情報を上記情報通信端末装置の上記表示部に表示するよう制御する読取画像表示ステップと、上記読取画像表示ステップにおいて表示された上記画像情報を、上記ウェブログサーバ装置に転送するか否かを、上記利用者に上記入力部を介して入力させるよう制御する転送確認ステップと、上記転送確認ステップにおいて上記利用者により上記画像情報を転送すると入力があった場合に、上記利用者設定情報記憶手段に記憶された上記利用者設定情報に基づいて、上記読取画像格納ステップにおいて格納された上記画像情報を上記ウェブログサーバ装置に転送する画像転送ステップと、を含むことを特徴とする。
【００３８】
また、請求項２６に記載のプログラムは、画像読取装置と、ネットワークを介してウェブログサーバ装置とに接続された、記憶部と制御部とを少なくとも備えた読取画像転送装置に実行させるためのプログラムであって、上記記憶部は、上記ウェブログサーバ装置の接続先アドレス情報と、上記ウェブログサーバ装置に対する転送プロトコルと、上記ウェブログサーバ装置に利用者を識別させるための利用者識別情報と、を少なくとも有する利用者設定情報記憶手段を備えており、上記制御部において実行される、上記画像読取装置を制御して原稿から画像情報を読取る画像読取ステップと、上記画像読取ステップにおいて読取られた上記画像情報を上記記憶部に格納する読取画像格納ステップと、上記利用者設定情報記憶手段に記憶された上記利用者設定情報に基づいて、上記読取画像格納ステップにおいて格納された上記画像情報を上記ウェブログサーバ装置に転送する画像転送ステップと、を含むことを特徴とする。
【００３９】
また、請求項２７に記載のシートは、ネットワークを介してウェブログサーバ装置に接続された読取画像転送装置に、画像読取装置を介して画像情報を読取らせるためのシートであって、上記ウェブログサーバ装置の接続先アドレス情報、上記ウェブログサーバ装置に対する転送プロトコル、および、上記ウェブログサーバ装置に利用者を識別させるための利用者識別情報のうち少なくとも一つを、上記読取画像転送装置に読取らせるよう表示することを特徴とする。
【００４０】
また、請求項２８に記載のシートは、ネットワークを介してウェブログサーバ装置に接続された読取画像転送装置に、無線通信手段を備えた画像読取装置を介して画像情報を読取らせるためのシートであって、上記ウェブログサーバ装置の接続先アドレス情報、上記ウェブログサーバ装置に対する転送プロトコル、および、上記ウェブログサーバ装置に利用者を識別させるための利用者識別情報のうち少なくとも一つを記憶し、上記無線通信手段を介して上記読取画像転送装置に送信する記憶送信手段を備えたことを特徴とする。
【００４１】
また、請求項２９に記載のキャリアシートは、ネットワークを介してウェブログサーバ装置に接続された読取画像転送装置に、画像読取装置を介して画像情報を読取らせるための原稿を、上記画像読取装置に搬送するキャリアシートであって、透明シートおよび台紙シートを備え、上記透明シートと上記台紙シートの少なくとも一辺を上記原稿を挿入可能に固定し、上記ウェブログサーバ装置の接続先アドレス情報、上記ウェブログサーバ装置に対する転送プロトコル、および、上記ウェブログサーバ装置に利用者を識別させるための利用者識別情報のうち少なくとも一つを、上記読取画像転送装置に読取らせるよう、上記透明シートおよび上記台紙シートのうち少なくとも一つに表示することを特徴とする。
【００４２】
また、請求項３０に記載のキャリアシートは、ネットワークを介してウェブログサーバ装置に接続された読取画像転送装置に、無線通信手段を備えた画像読取装置を介して画像情報を読取らせるための原稿を、上記画像読取装置に搬送するキャリアシートであって、透明シートおよび台紙シートを備え、上記透明シートと上記台紙シートの少なくとも一辺を上記原稿を挿入可能に固定し、上記ウェブログサーバ装置の接続先アドレス情報、上記ウェブログサーバ装置に対する転送プロトコル、および、上記ウェブログサーバ装置に利用者を識別させるための利用者識別情報のうち少なくとも一つを記憶し、上記無線通信手段を介して上記読取画像転送装置に送信する記憶送信手段を備えたことを特徴とする。
【００４３】
また、本発明は記録媒体に関するものであり、上記請求項２６に記載のプログラムを記録したことを特徴とする。
【発明の効果】
【００４４】
この発明によれば、コンピュータ操作に不慣れな利用者であっても簡単にウェブログの投稿ができ、その他の利用者にとっても煩雑な操作手順を省略することができる。また、ウェブログ間での投稿方法や登録方法の差異を意識することなく、利用者が自由に作成した原稿を任意のウェブログに登録することができる。また、本発明によれば、ブログ開設を容易化することができる。
【００４５】
特に本発明によれば、紙文書（例えば、販売促進用広告、カタログ、経営メッセージ、手書きメモ等）をウェブログに投稿したい場合、画像読取装置からパーソナルコンピュータなどの情報処理装置に読取画像データを移し変える操作が不要になり、簡単にウェブログ登録が行えるため、画像読取装置およびウェブログの用途が拡大するという効果を奏する。
【発明を実施するための最良の形態】
【００４６】
以下に、本発明にかかる読取画像転送装置、読取画像転送システム、読取画像転送方法、プログラム、シート、および、キャリアシートの実施の形態を図面に基づいて詳細に説明する。なお、この実施の形態によりこの発明が限定されるものではない。
【００４７】
［本発明の概要］
以下、本発明の概要について説明し、その後、本発明の構成および処理等について詳細に説明する。図１は、本発明の基本原理を示すフローチャートである。
【００４８】
本発明は、概略的に、以下の基本的特徴を有する。すなわち、本発明の本読取画像転送装置は、画像読取装置と、ネットワークを介してウェブログサーバ装置とに接続されており、記憶部と制御部とを少なくとも備えて構成され、記憶部は利用者設定情報を記憶する。
【００４９】
ここで、利用者設定情報は、少なくとも、ウェブログサーバ装置の接続先アドレス情報と、ウェブログサーバ装置に対する転送プロトコルと、ウェブログサーバ装置に利用者を識別させるための利用者識別情報とを有する。
【００５０】
そして、図１に示すように、本読取画像転送装置は、画像読取装置を制御して原稿から画像情報を読取る（ステップＳＡ−１）。
【００５１】
ここで、原稿の媒体としては、シート（用紙、フィルム、ＯＨＰシート等）等を用いてもよい。また、原稿を画像読取装置に搬送する媒体として、透明シートおよび台紙シートを備え、少なくとも一辺を原稿を挿入可能に固定したキャリアシートを用いてもよい。また、シートまたはキャリアシートは、接続先アドレス情報、転送プロトコル、および、利用者識別情報のうち少なくとも一つを、読取画像転送装置に読取らせるよう表示してもよい。また、シートまたはキャリアシートは、接続先アドレス情報、転送プロトコル、および、利用者識別情報のうち少なくとも一つを記憶し、無線通信手段を介して読取画像転送装置に送信する記憶送信手段（例えば、ＲＦＩＤ等）を備えて構成されてもよい。
【００５２】
そして、本読取画像転送装置は、読取られた画像情報を記憶部に格納する（ステップＳＡ−２）。
【００５３】
そして、本読取画像転送装置は、記憶部に記憶された利用者設定情報に基づいて、記憶部に格納された画像情報をウェブログサーバ装置に転送する（ステップＳＡ−３）。
【００５４】
以上により、ウェブログに読取画像が掲載される（ステップＳＡ−４）。具体的には、ウェブログサーバ装置が、ウェブログサーバ装置にネットワークを介して接続している端末装置に、読取画像が掲載されたウェブログサイトを提供する。ここで、本読取画像転送装置は、利用者のメールアドレス情報と利用者識別情報とを対応付けて記憶し、ウェブログサーバ装置から掲載成否情報を受信し、利用者識別情報に対応するメールアドレスを送信先として、掲載成否情報を通知するメールを送信してもよい。
【００５５】
ここで、「掲載成否情報」とは、画像情報のウェブログへの掲載が成功したか否かに関する情報であり、例えば、利用者識別情報や掲載成功情報やエラーコード（利用者に割り当てられたウェブログサーバ装置の記憶部の容量不足を示すエラーコードや、転送された画像情報がウェブログサーバ装置の掲載フォーマットに合致していないことを示すエラーコード、利用者識別情報に基づく利用者の認証が成功しなかったことを示すエラーコードなど）等を含んでもよい。
【００５６】
ここで、本読取画像転送装置は、転送前に、読取られた画像情報を表示部に表示するよう制御してもよい。
【００５７】
その際、本読取画像転送装置は、表示された画像情報を、ウェブログサーバ装置に転送させるか否かを、利用者に入力部を介して入力させるよう制御する。
【００５８】
そして、本読取画像転送装置は、利用者により画像情報を転送すると入力があった場合に、記憶部に格納された画像情報をウェブログサーバ装置に転送する。
【００５９】
また、ここで、本読取画像転送装置は、複数の上記ウェブログサーバ装置毎に、接続先アドレス情報または転送プロトコルを環境設定情報として記憶し、利用者に入力部を介してウェブログサーバ装置の情報を入力させるよう制御し、環境設定情報に基づいてウェブログサーバ装置に対応する環境設定情報を利用者設定情報に設定し格納するよう構成してもよい。
【００６０】
また、本読取画像転送装置は、画像読取装置を介して読取られた画像情報を、記憶部に記憶された画像掲載フォーマット情報に基づいて、ウェブログサーバ装置の画像掲載フォーマットに適合するように変換して記憶部に格納してもよい。
【００６１】
また、本読取画像転送装置は、読取られた画像情報から文字、記号または図形を認識して文字等情報を取得してもよい。この場合、本読取画像転送装置は、取得された文字等情報に基づいて、利用者設定情報を編集してもよい。また、文字等情報の認識は、ＯＣＲ（Optical Character Reader）機能等により実現されてもよい。
【００６２】
ここで、文字等情報とは、認識された、文字、記号または図形等の情報のことであり、例えば、バーコード、ＱＲコード、印影、ＵＲＬ等の情報である。
【００６３】
また、本読取画像転送装置は、更にＩＣカード読取装置に接続され、ＩＣカード読取装置を介してＩＣカードの課金制御を行い、ＩＣカードから課金された場合に、画像情報をウェブログサーバ装置に転送するよう構成してもよい。
【００６４】
また、本読取画像転送装置は、更に少なくとも記憶部を備えたウェブログ管理サーバ装置に、ネットワークを介して接続され構成されてもよく、ウェブログ管理サーバ装置は、複数のウェブログサーバ装置毎に、接続先アドレス情報、転送プロトコル、または画像掲載フォーマット情報を基本環境設定情報として記憶し、本読取画像転送装置は、ウェブログ管理サーバ装置に記憶された基本環境設定情報を参照し、各種ウェブログ用環境設定記憶手段に記憶された環境設定情報を更新するよう構成してもよい。
【００６５】
ここで、本読取画像転送装置は、ネットワークを介して、少なくとも記憶部と制御部と表示部と入力部を備えた情報通信端末装置に更に接続されて構成されてもよい。
【００６６】
上記のように構成した場合、本読取画像転送装置は、画像読取装置を制御して原稿から画像情報を読取る。
【００６７】
そして、本読取画像転送装置は、読取られた画像情報を読取画像転送装置の記憶部に格納する。
【００６８】
そして、本読取画像転送装置は、記憶部に記憶された利用者設定情報に基づいて、記憶部に格納された画像情報をウェブログサーバ装置に転送する。ここで、本構成の場合、読取画像は未だウェブログに掲載されない。
【００６９】
そして、本読取画像転送装置は、読取画像ファイルに格納された画像情報を添付して情報通信端末装置にメールを送信する。ここで、本読取画像転送装置は、更に赤外線通信装置に接続され、赤外線通信装置を制御して赤外線通信を行い利用者ＩＤ情報および／またはメールアドレス情報を取得し、取得した利用者ＩＤ情報および／またはメールアドレス情報を格納し、取得されたメールアドレス、または、赤外線通信手段により取得された利用者ＩＤ情報に対応する格納されたメールアドレスを送信先として、画像を添付したメールを情報通信端末装置に送信してもよい。
【００７０】
そして、本情報通信端末装置は、メールに添付されて送信された画像情報を情報通信端末装置の表示部に表示するよう制御する。
【００７１】
そして、本情報通信端末装置は、表示された画像情報に対応する、ウェブログサーバ装置に転送された画像情報を、ウェブログに掲載するか否かを利用者に入力部を介して入力させるよう制御する。
【００７２】
そして、本情報通信端末装置は、利用者により画像情報を掲載すると入力があった場合に、転送された画像情報をウェブログに掲載するようウェブログサーバ装置を制御する掲載指示情報を、ウェブログサーバ装置に送信する。ウェブログサーバ装置は、掲載指示情報を受信することにより、読取画像をウェブログに掲載して提供する。
【００７３】
以上が、情報通信端末装置を加えて構成した場合の本発明の概要である。ここで、本読取画像転送装置から画像情報をウェブログサーバ装置に転送する構成の他に、本情報通信端末装置から画像情報を、直接、ウェブログサーバ装置に転送する構成としてもよい。以上で本発明の概要の説明を終える。
【００７４】
［本読取画像転送システムの構成］
まず、本読取画像転送システムの構成について説明する。図２は、本発明が適用される本読取画像転送システムの構成の一例を示すブロック図であり、該構成のうち本発明に関係する部分のみを概念的に示している。本読取画像転送システムは、概略的に読取画像転送装置１００と、ウェブログに関するデータベースやサーバアプリケーション等のプログラム等を実行しウェブサイトを提供するウェブログサーバ装置２００と、情報通信端末装置５００とを、ネットワーク３００を介して通信可能に接続して構成されている。
【００７５】
図２において、ネットワーク３００は、読取画像転送装置１００とウェブログサーバ装置２００と情報通信端末装置５００とを相互に接続する機能を有し、例えば、インターネット、電話回線網（携帯電話回線網、一般電話回線網を含む。）、イントラネット等である。
【００７６】
図２において、ウェブログサーバ装置２００は、ネットワーク３００を介して、読取画像転送装置１００と相互に接続され、利用者に対してウェブログに関するデータベースやサーバアプリケーション等のプログラム等を実行しウェブログ等のウェブサイトを提供する機能を有する。
【００７７】
ここで、ウェブログサーバ装置２００は、データベースにＸＭＬ文書や画像などの情報を蓄積しておき、ＷＥＢブラウザなどのクライアントソフトウェアの要求に応じて、ネットワーク３００を通じて、これらの情報を送信する役割を果たす。また、ウェブログサーバ装置２００は、要求に応じてプログラムを実行し、結果をクライアントに送信する動的ページ生成の機能や、データベースと連携したトランザクション処理機能などを実現してもよい。また、ウェブログサーバ装置２００のハードウェア構成は、一般に市販されるワークステーション、パーソナルコンピュータ等の情報処理装置およびその付属装置により構成していてもよい。また、ウェブログサーバ装置２００の各機能は、ウェブログサーバ装置２００のハードウェア構成中のＣＰＵ、ディスク装置、メモリ装置、入力装置、出力装置、通信制御装置等およびそれらを制御するプログラム等により実現される。なお、ウェブログサーバ装置２００は、ネットワーク３００に複数接続されて構成されていてもよい。
【００７８】
図２において読取画像転送装置１００は、概略的に、読取画像転送装置１００の全体を統括的に制御するＣＰＵ等の制御部１０２、通信回線等に接続されるルータ等の通信装置（図示せず）に接続される通信制御インターフェース部１０４、入出力制御インターフェース部１０８、および、各種のデータベースやテーブルなどを格納する記憶部１０６を備えて構成されており、これら各部は任意の通信路を介して通信可能に接続されている。更に、この読取画像転送装置１００は、ルータ等の通信装置および専用線等の有線または無線の通信回線を介して、ネットワーク３００に通信可能に接続されている。
【００７９】
記憶部１０６に格納される各種のデータベースやテーブル（利用者設定ファイル１０６ａ〜メール通知リストファイル１０６ｅ）は、固定ディスク装置等のストレージ手段であり、各種処理に用いる各種のプログラムやテーブルやファイルやデータベースやウェブページ等を格納する。
【００８０】
これら記憶部１０６の各構成要素のうち、利用者設定ファイル１０６ａは、ウェブログサーバ装置２００の接続先アドレス情報（例えば、接続先ＵＲＬ、エンドポイント、メールアドレス等）や、ウェブログサーバ装置２００に対する転送プロトコル、ウェブログサーバ装置２００に利用者を識別させるための利用者識別情報等を利用者設定情報として記憶する利用者設定情報記憶手段である。この利用者設定ファイル１０６ａに格納される利用者設定情報には、利用者毎にウェブログ毎の利用者設定情報のファイル名を定義する接続名や、ウェブログが公開しているエンドポイントを定義するエンドポイント情報、読取画像転送装置１００とウェブログサーバ装置２００との接続を仲介するプロキシの情報、ウェブログサーバ装置２００がサポートする画像掲載フォーマット情報等を有していてもよい。また、利用者識別情報には、ウェブログサーバ装置２００が利用者認証を行うためのパスワード情報を含んで構成されてもよい。また、エンドポイント情報は、接続先アドレスとポート番号を含んで構成されてもよい。
【００８１】
また、読取画像ファイル１０６ｂは、画像読取装置１１２を制御して原稿から読取られた画像情報を記憶する読取画像記憶手段である。
【００８２】
また、利用者情報ファイル１０６ｃは、利用者ＩＤ情報および／またはメールアドレス情報を記憶する利用者情報記憶手段である。ここで、利用者情報ファイル１０６ｃは、利用者ＩＤ情報とメールアドレス情報とを対応づけて記憶してもよい。
【００８３】
また、各種ウェブログ用環境設定ファイル１０６ｄは、複数のウェブログサーバ装置２００毎に、接続先アドレス情報や、転送プロトコルや、ウェブログサーバ装置２００がサポートする画像掲載フォーマット情報等を、環境設定情報としてデータベース化した各種ウェブログ用環境設定記憶手段である。例えば、各種ウェブログ用環境設定ファイル１０６ｄは、ウェブログ装置２００がサポートする転送プロトコルとして、ＨＴＴＰ（HyperText Transfer Protocol）やＳＭＴＰ（Simple Mail Transfer Protocol）、ＸＭＬ−ＲＰＣ（Extensible Markup Language- Remote Procedure Call）等をウェブログサーバ装置毎またはブログタイプ毎に対応付けて記憶してもよい。また、各種ウェブログ用環境設定ファイル１０６ｄは、環境設定情報をブログタイプに対応付けて記憶してもよく、各ウェブログサーバ装置２００をブログタイプに対応付けて記憶してもよい。
【００８４】
また、メール通知リストファイル１０６ｅは、利用者のメールアドレス情報と利用者識別情報とを対応付けて記憶するメール通知リスト記憶手段である。ここで、メール通知リストファイル１０６ｅは、利用者設定ファイル１０６ａに記憶された利用者設定情報と、利用者情報ファイル１０６ｃに記憶されたメールアドレス情報に基づいて作成されてもよい。また、メール通知リストファイル１０６ｅは、利用者の複数のメールアドレス情報を利用者識別情報と対応付けて記憶してもよい。
【００８５】
また、図２において、通信制御インターフェース部１０４は、読取画像転送装置１００とネットワーク３００（またはルータ等の通信装置）との間における通信制御を行う。すなわち、通信制御インターフェース部１０４は、他の端末と通信回線を介してデータを通信する機能を有する。
【００８６】
また、図２において、入出力制御インターフェース部１０８は、画像読取装置１１２や入力装置１１３、表示装置１１４、赤外線通信装置１１５、ＩＣカード読取装置１１６に接続され、これらの制御を行う。また、入力装置１１３としては、キーボード、マウス、マイク等を用いることができる。また、表示装置１１４は、例えば、モニタ（家庭用テレビを含む）等である。また、赤外線通信装置１１５としては、ＩｒＤＡ（Infrared Data Association）等の技術を用いてもよい。また、ＩＣカード読取装置１１６としては、非接触ＩＣカード技術を用いて構成してもよい。
【００８７】
図２において、画像読取装置１１２は、原稿から画像情報を読み込むための装置である。ここで、画像読取装置１１２は、無線通信手段を備えて構成されてもよい。例えば、画像読取装置１１２は、原稿の読み込みとともに、ＲＦＩＤチップ等の記憶送信手段から無線通信手段（例えば、ＲＦＩＤセンサー（センスコイル）等）を介して接続先アドレス情報や転送プロトコルや利用者識別情報等の情報を受信してもよい。
【００８８】
ここで、原稿媒体について説明する。原稿媒体としては、シート（用紙、フィルム、ＯＨＰシート等）等を用いてもよい。また、原稿を画像読取装置１１２に搬送する媒体として、透明シートおよび台紙シートを備え、少なくとも一辺を原稿を挿入可能に固定したキャリアシートを用いてもよい。また、シートまたはキャリアシートは、接続先アドレス情報、転送プロトコル、および、利用者識別情報のうち少なくとも一つを、読取画像転送装置１１２に読取らせるよう表示してもよい。例えば、シートまたはキャリアシート（透明シート、台紙シート）には、バーコードや、ＱＲコード等の二次元バーコード等の図形が表示されてもよい。すなわち、シートまたはキャリアシートは、接続先アドレス情報、転送プロトコル、および、利用者識別情報のうち少なくとも一つをバーコードや二次元バーコード等の図形として表示してもよい。また、シートまたはキャリアシートは、接続先アドレス情報、転送プロトコル、および、利用者識別情報のうち少なくとも一つを記憶し、無線通信手段を備えた画像読取装置１１２を介して読取画像転送装置１００に送信する記憶送信手段（例えば、ＲＦＩＤ等）を備えてもよい。
【００８９】
また、図２において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、画像読取部１０２ａ、読取画像格納部１０２ｂ、画像転送部１０２ｃ、読取画像表示部１０２ｄ、転送確認部１０２ｅ、画像添付メール送信部１０２ｆ、文字等認識部１０２ｇ、利用者設定編集部１０２ｈ、赤外線通信部１０２ｉ、ＩＣカード課金制御部１０２ｊ、利用者情報格納部１０２ｋ、メール通知部１０２ｍを備えて構成されている。
【００９０】
このうち、画像読取部１０２ａは、画像読取装置１１２を制御して原稿から画像情報を読取る画像読取手段である。ここで、画像読取部１０２ａは、無線通信手段を備えた画像読取装置１１２を制御して、原稿媒体（シート、キャリアシート等）の記憶送信手段から、接続先アドレス情報、転送プロトコル、および、利用者識別情報のうち少なくとも一つを読取るよう構成してもよい。
【００９１】
また、読取画像格納部１０２ｂは、画像読取部１０２ａによって読取られた画像情報を読取画像ファイル１０６ｂに格納する読取画像格納手段である。ここで、読取画像格納部１０２ｂは、画像読取部１０２ａによって読取られた画像情報を、利用者設定ファイル１０６ａに記憶された画像掲載フォーマット情報に基づいて、ウェブログサーバ装置２００の画像掲載フォーマットに適合するように変換して格納してもよい。画像掲載フォーマットとは、ウェブログサーバ装置２００がサポートする、画像サイズ、画像フォーマット形式（ＪＰＥＧ、ＧＩＦ、ＰＮＧ等）等のことである。
【００９２】
また、画像転送部１０２ｃは、利用者設定ファイル１０６ａに記憶された利用者設定情報に基づいて、通信制御インターフェース部１０４を制御することにより、読取画像ファイル１０６ｂに記憶された画像情報にウェブログサーバ装置２００に転送する画像転送手段である。ここで、画像転送部１０２ｃは、ＩＣカード課金制御部１０２ｊの制御によりＩＣカードから課金された場合に、読取画像ファイル１０６ｂに記憶された画像情報をウェブログサーバ装置２００に転送するよう構成してもよい。
【００９３】
また、読取画像表示部１０２ｄは、画像読取部１０２ａによって読取られた画像情報を表示装置１１４に表示するよう制御する読取画像表示手段である。
【００９４】
また、転送確認部１０２ｅは、読取画像表示部１０２ｄによって表示された画像情報を、画像転送部１０２ｃによりウェブログサーバ装置２００に転送させるか否かを、利用者に入力装置１１３を介して入力させるよう制御する転送確認手段である。
【００９５】
また、画像添付メール送信部１０２ｆは、読取画像ファイル１０６ｂに記憶された画像情報を添付して情報通信端末装置５００にメールを送信する画像添付メール送信手段である。ここで、画像添付メール送信部１０２ｆは、赤外線通信部１０２ｉにより取得されたメールアドレス、または、赤外線通信部１０２ｉにより取得された利用者ＩＤ情報に対応する利用者情報ファイル１０６ｃに記憶されたメールアドレスを送信先として、メールを情報通信端末装置５００に送信してもよい。また、画像添付メール送信部１０２ｆは、ＩＣカード課金制御部１０２ｊによってＩＣカードから課金された場合に、読取画像ファイル１０６ｂに記憶された画像情報を添付して情報通信端末装置５００にメールを送信するよう構成してもよい。
【００９６】
また、文字等認識部１０２ｇは、読取画像ファイル１０６ｂに記憶された画像情報から文字、記号または図形を認識して文字等情報を取得する文字等認識手段である。ここで、文字等認識部１０２ｇは、ＯＣＲ機能により実現されてもよい。一例として、文字等認識部１０２ｇは、画像情報からバーコードや二次元コードの図形を認識して、接続先アドレス情報、転送プロトコル、および、利用者識別情報のうち少なくとも一つを文字等情報として取得してもよい。
【００９７】
また、利用者設定編集部１０２ｈは、利用者に入力装置１１３を介してウェブログサーバ装置２００の情報を入力させるよう制御し、各種ウェブログ用環境設定ファイル１０６ｄに記憶された環境設定情報に基づいて、入力されたウェブログサーバ装置２００の情報に対応する、転送プロトコルや接続先アドレス情報や画像掲載フォーマット情報等の環境設定情報を利用者設定情報に設定し利用者設定ファイル１０６ａに格納する利用者設定編集手段である。ここで、利用者設定編集部１０２ｈは、ウェブログサーバ装置２００の情報として、ブログタイプ（ウェブログの種類）を選択させるよう制御し、環境設定情報に基づいて、ブログタイプに適合する環境設定情報を利用者設定情報に設定してもよい。また、利用者設定編集部１０２ｈは、文字等認識部１０２ｇにより取得された文字等情報に基づいて、利用者設定ファイル１０６ａに記憶された利用者設定情報を編集してもよい。例えば、利用者設定編集部１０２ｈは、文字等情報としてＵＲＬ情報等の接続先アドレス情報を得た場合に、利用者設定情報の接続先アドレス情報を編集し、利用者設定ファイル１０６ａに格納してもよい。また、利用者設定編集部１０２ｈは、画像読取部１０２ａにより読取られ文字等認識部１０２ｇにより認識された、接続先アドレス情報、転送プロトコル、および、利用者識別情報のうち少なくとも一つを利用者設定情報に設定し利用者設定ファイル１０６ａに格納してもよい。
【００９８】
また、赤外線通信部１０２ｉは、赤外線通信装置１１５を制御して赤外線通信を行い利用者ＩＤ情報および／またはメールアドレス情報を取得する赤外線通信手段である。ここで、赤外線通信部１０２ｉは、情報通信端末装置５００の赤外線通信装置５１５を介して、情報通信端末装置５００と赤外線通信を行うよう構成してもよい。
【００９９】
また、ＩＣカード課金制御部１０２ｊは、ＩＣカード読取装置１１６を介してＩＣカードの課金制御を行うＩＣカード課金制御手段である。ここで、ＩＣカード課金制御部１０２ｊは、非接触ＩＣカード技術を用いて構成されてもよい。
【０１００】
また、利用者情報格納部１０２ｋは、赤外線通信部１０２ｉによって取得された利用者ＩＤ情報および／またはメールアドレス情報を利用者情報ファイル１０６ｃに格納する利用者情報格納手段である。
【０１０１】
また、メール通知部１０２ｍは、転送された画像情報のウェブログへの掲載が成功したか否かの掲載成否情報をウェブログサーバ装置２００から受信し、メール通知リストファイル１０６ｅに記憶された、利用者識別情報に対応するメールアドレスを送信先として、掲載成否情報を通知するメールを送信するメール通知手段である。ここで、メール通知部１０２ｍは、掲載成否情報として、利用者識別情報や掲載成功情報の他、利用者に割り当てられたウェブログサーバ装置２００の記憶部の容量不足を示すエラーコードや、画像情報がウェブログサーバ装置２００の掲載フォーマットに合致していないことを示すエラーコード、利用者識別情報に基づく利用者の認証が成功しなかったことを示すエラーコード等を受信し、当該掲載成否情報をメール送信してもよい。
【０１０２】
図２において、情報通信端末装置５００は、ネットワーク３００に接続されており、メール送受信機能等を有する。情報通信端末装置５００のハードウェア構成は、一般に市販されるワークステーション、パーソナルコンピュータ等の情報処理装置およびその付属装置により構成していてもよく、例えば、携帯電話端末装置や、ＰＤＡ（Personal Digital Assistants）、ＰＨＳ（Personal Handyphone System）、ページャー、ノート型パーソナルコンピュータ等であってもよい。ここで、情報通信端末装置５００の構成について、図３を参照して、以下に詳細に説明する。図３は、本読取画像転送システムにおける本情報通信端末装置５００の構成の一例を示すブロック図である。
【０１０３】
図３において情報通信端末装置５００は、概略的に、情報通信端末装置５００の全体を統括的に制御するＣＰＵ等の制御部５０２、ルータ等の通信装置（図示せず）に接続される通信制御インターフェース部５０４、入力装置５１３や表示装置５１４や赤外線通信装置５１５に接続される入出力制御インターフェース部５０８、および、各種のデータベースやテーブルなどを格納する記憶部５０６を備えて構成されており、これら各部は任意の通信路を介して通信可能に接続されている。更に、この情報通信端末装置５００は、ルータ等の通信装置等の無線の通信回線を介して、ネットワーク３００に通信可能に接続されている。
【０１０４】
記憶部５０６に格納される各種のデータベースやテーブル（利用者設定ファイル５０６ａ〜各種ウェブログ用環境設定ファイル５０６ｃ）は、固定ディスク装置等のストレージ手段であり、各種処理に用いる各種のプログラムやテーブルやファイルやデータベースやウェブページ等を格納する。
【０１０５】
これら記憶部５０６の各構成要素のうち、利用者設定ファイル５０６ａは、ウェブログサーバ装置２００の接続先アドレス情報（例えば、接続先ＵＲＬ、エンドポイント、メールアドレス等）や、ウェブログサーバ装置２００に対する転送プロトコル、ウェブログサーバ装置２００に利用者を識別させるための利用者識別情報等の利用者設定情報を記憶する利用者設定情報記憶手段である。この利用者設定ファイル５０６ａに格納される利用者設定情報には、利用者毎にウェブログ毎の利用者設定情報のファイル名を定義する接続名や、ウェブログが公開しているエンドポイントを定義するエンドポイント情報、読取画像転送装置１００とウェブログサーバ装置２００との接続を仲介するプロキシの情報、ウェブログサーバ装置２００がサポートする画像掲載フォーマット情報等を有していてもよい。また、利用者識別情報は、パスワード情報を含んで構成されてもよい。
【０１０６】
また、読取画像ファイル５０６ｂは、画像添付メール受信部５０２ａによりメールに添付されて受信された画像情報を記憶する読取画像記憶手段である。
【０１０７】
また、各種ウェブログ用環境設定ファイル５０６ｃは、複数のウェブログサーバ装置２００毎に、接続先アドレス情報や、転送プロトコルや、画像掲載フォーマット情報等を、環境設定情報としてデータベース化した各種ウェブログ用環境設定記憶手段である。例えば、各種ウェブログ用環境設定ファイル５０６ｃは、ウェブログ装置２００がサポートする転送プロトコルとしてＨＴＴＰ（HyperText Transfer Protocol）や、ＳＭＴＰ（Simple Mail Transfer Protocol）、ＸＭＬ−ＲＰＣ（Extensible Markup Language- Remote Procedure Call）等をウェブログサーバ装置２００毎またはブログタイプ毎に対応付けて記憶する。
【０１０８】
また、図３において、通信制御インターフェース部５０４は、情報通信端末装置５００とネットワーク３００（または通信装置）との間における通信制御を行う。すなわち、通信制御インターフェース部５０４は、ネットワーク３００に接続された他の端末と通信する機能を有する。
【０１０９】
また、図３において、入出力制御インターフェース部５０８は、入力装置５１３や表示装置５１４や赤外線通信装置５１５の制御を行う。ここで、表示装置５１４は、例えば、液晶ディスプレイ等である。また、入力装置５１３としては、プッシュボタン、タッチパネルおよびマイク等を用いることができる。ここで、入出力制御インターフェース部５０８は、赤外線通信装置５１５の制御を行ってもよい。また、入出力制御インターフェース部５０８は、赤外線通信装置５１５を制御することにより、利用者ＩＤやメールアドレス情報等を送信する制御を行ってもよい。
【０１１０】
また、図３において、制御部５０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部５０２は、機能概念的に、画像添付メール受信部５０２ａ、読取画像格納部５０２ｂ、画像転送部５０２ｃ、読取画像表示部５０２ｄ、転送確認部５０２ｅ、掲載確認部５０２ｆ、掲載指示送信部５０２ｇ、利用者設定編集部５０２ｈ、掲載成否情報出力部５０２ｉを備えて構成されている。
【０１１１】
このうち、画像添付メール受信部５０２ａは、通信制御インターフェース部５０４を制御してネットワーク３００から画像情報が添付されたメールを受信する画像添付メール受信手段である。
【０１１２】
また、読取画像格納部５０２ｂは、画像添付メール受信部５０２ａにより受信されたメールに添付された画像情報を読取画像ファイル５０６ｂに格納する読取画像格納手段である。ここで、読取画像格納部５０２ｂは、画像添付メール受信部５０２ａによって受信された画像情報を、利用者設定ファイル５０６ａに記憶された画像掲載フォーマット情報に基づいて、ウェブログサーバ装置２００の画像掲載フォーマットに適合するように変換して格納してもよい。
【０１１３】
また、画像転送部５０２ｃは、利用者設定ファイル５０６ａに記憶された利用者設定情報に基づいて、通信制御インターフェース部５０４を制御することにより、読取画像ファイル５０６ｂに記憶された画像情報をウェブログサーバ装置２００に転送する画像転送手段である。
【０１１４】
また、読取画像表示部５０２ｄは、読取画像ファイル５０６ｂに記憶された画像情報を表示装置５１４に表示するよう制御する読取画像表示手段である。
【０１１５】
また、転送確認部５０２ｅは、読取画像表示部５０２ｄによって表示された画像情報を、画像転送部５０２ｃによりウェブログサーバ装置２００に転送させるか否かを、利用者に入力装置５１３を介して入力させるよう制御する転送確認手段である。
【０１１６】
また、掲載確認部５０２ｆは、読取画像表示部５０２ｄによって表示された画像情報に対応する、画像転送部１０２ｃによって転送された画像情報を、ウェブログに掲載するか否かを利用者に入力装置５１３を介して入力させるよう制御する掲載確認手段である。
【０１１７】
また、掲載指示送信部５０２ｇは、掲載確認部５０２ｆの制御により利用者から画像情報を掲載すると入力があった場合に、画像転送部１０２ｃにより転送された対応する画像情報をウェブログに掲載するようウェブログサーバ装置２００を制御する掲載指示情報をネットワーク３００を介してウェブログサーバ装置２００に送信する掲載指示送信手段である。ここで、「掲載指示情報」は、例えば、ウェブログからデータベースに転送され格納された画像情報のリンク情報であってもよい。
【０１１８】
また、利用者設定編集部５０２ｈは、利用者に入力装置５１３を介してウェブログサーバ装置２００の情報を入力させるよう制御し、各種ウェブログ用環境設定ファイル５０６ｃに記憶された環境設定情報に基づいてウェブログサーバ装置２００に対応する環境設定情報を利用者設定情報に設定し利用者設定ファイル５０６ａに格納する利用者設定編集手段である。ここで、利用者設定編集部５０２ｈは、利用者に入力装置５１３を介してブログタイプ（ウェブログの種類）を選択させるよう制御し、ブログタイプに適合する転送プロトコル（ＸＭＬ−ＲＰＣ、ＳＭＴＰなど）、画像掲載フォーマット等を設定してもよい。
【０１１９】
また、掲載成否情報出力部５０２ｉは、画像転送部５０２ｃにより転送された画像情報のウェブログへの掲載が成功したか否かの掲載成否情報を、ウェブログサーバ装置２００から受信して、表示装置５１４に出力する掲載成否情報出力手段である。ここで、掲載成否情報出力部５０２ｉは、画像転送部１０２ｃにより転送された画像情報のウェブログへの掲載が成功したか否かの掲載成否情報を通知するメールを、読取画像転送装置１００から受信して、表示装置５１４に出力してもよい。また、ここで、掲載成否情報出力部５０２ｉが出力する出力先は、表示装置５１４に限られず、スピーカーやプリンタや外部記憶装置等の他の出力装置であってもよい。
【０１２０】
［本読取画像転送装置の処理］
次に、このように構成された本実施の形態における本読取画像転送装置１００の処理の一例について、以下に図２〜図１２を参照して詳細に説明する。
【０１２１】
［読取画像転送処理］
まず、読取画像転送処理の詳細について図４〜図８を参照して説明する。図４は、本実施の形態における本読取画像転送装置１００の読取画像転送処理の一例を示すフローチャートである。また、図５〜図８はそれぞれ、読取画像転送処理の処理画面、確認画面、文字認識画面、ウェブログ画面の一例を示す図である。
【０１２２】
まず、画像読取部１０２ａは、入出力制御インターフェース部１０８を制御し、画像読取装置１１２を介して、原稿から画像情報を読取る（ステップＳＢ−１）。ここで、画像読取部１０２ａは、無線通信手段を備えた画像読取装置１１２を制御して、原稿媒体（シート、キャリアシート等）の記憶送信手段から、接続先アドレス情報、転送プロトコル、および、利用者識別情報のうち少なくとも一つを読取ってもよい。
【０１２３】
つぎに、読取画像格納部１０２ｂは、画像読取部１０２ａによって読取られた画像情報を読取画像ファイル１０６ｂに格納する（ステップＳＢ−２）。ここで、読取画像格納部１０２ｂは、画像読取部１０２ａによって読取られた画像情報を、利用者設定ファイル１０６ａに記憶された画像掲載フォーマット情報に基づいて、ウェブログサーバ装置２００の画像掲載フォーマットに適合するように変換して格納してもよい。ここで、図５の読取画像転送処理の処理画面は、ファイル保存完了ページ表示画面ＭＡ−１、中止ボタンＭＡ−２、各種設定表示画面ＭＡ−３から構成される。図５に示すように、ファイル保存完了ページ表示画面ＭＡ−１は、現在、読取画像格納部１０２ｂの処理により、読取画像ファイル１０６ｂに格納された画像情報の原稿ページ数を示す。ここで、読取画像格納部１０２ｂは、利用者に中止ボタンＭＡ−２を入力させるように制御し、画像情報の格納を中止するよう構成されてもよい。ここで、図５の各種設定表示画面ＭＡ−３に示すように、読取画像転送装置１００は、画像読取部１０２ａまたは読取画像格納部１０２ｂの処理により、利用者設定ファイル１０６ａに記憶された利用者設定情報等に基づいて、両面／片面、カラー／モノクロ、フォーマット（ＪＰＥＧ、ＧＩＦ、ＰＮＧ等）、サイズの自動判定、白紙削除、向き補正、傾き補正、圧縮等の設定された処理を行って画像情報を格納してもよい。
【０１２４】
そして、図６に示すように、読取画像表示部１０２ｄは、入出力制御インターフェース部１０８を介して、画像読取部１０２ａによって読取られた画像情報を表示装置１１４に表示するよう制御する（ステップＳＢ−３）。ここで、図６の確認画面は、読取画像表示画面ＭＢ−１、接続名表示画面ＭＢ−２、設定ボタンＭＢ−３、タイトル表示画面ＭＢ−４、記事表示画面ＭＢ−５、ＯＣＲ読取ボタンＭＢ−６、投稿オプションボタンＭＢ−７、ブログ確認ボタンＭＢ−８、投稿ボタンＭＢ−９、閉じるボタンＭＢ−１０から構成される。ステップＳＢ−３において、読取画像表示部１０２ｄは、例えば図６に示すように、読取画像表示画面ＭＢ−１に画像情報を表示するよう制御する。
【０１２５】
ここで、図７に示すように、文字等認識部１０２ｇは、読取画像ファイル１０６ｂに記憶された画像情報から文字、記号または図形を認識して文字等情報を取得してもよい。具体的には、文字等認識部１０２ｇは、利用者に入力装置１１３を介して、図６のＯＣＲ読取ボタンＭＢ−６をクリックさせるよう制御することにより、文字等認識部１０２ｇは画像情報から文字等情報を取得する（図７）。そして、図７に示すように、文字等認識部１０２ｇは、ＯＣＲ認識した文字列の先頭部分をタイトルとして設定し（タイトル表示画面ＭＢ−４）、先頭部分以降を記事として設定する（記事表示画面ＭＢ−５）。なお、利用者は、必要に応じて自動入力されたタイトル、記事を修正できる。ここで、利用者設定編集部１０２ｈは、読取った文字等情報のうち、ＵＲＬや、ＱＲコード、バーコード、陰影等の情報に基づいて、接続先アドレス等を設定するよう利用者設定情報を編集してもよい。
【０１２６】
そして、転送確認部１０２ｅは、読取画像表示部１０２ｄによって表示された画像情報を、画像転送部１０２ｃによりウェブログサーバ装置２００に転送させるか否かを、利用者に入力装置１１３を介して入力させるよう入出力制御インターフェース部１０８を制御する（ステップＳＢ−４）。具体的には、転送確認部１０２ｅは、図６に示すように、利用者に入力装置１１３を介して、投稿ボタンＭＢ−９をクリックさせるよう制御する。ここで、転送確認部１０２ｅは、利用者に投稿ボタンＭＢ−９をクリックさせる前に、接続名表示画面ＭＢ−２で既に登録された接続名を選択させるよう制御してもよく、また、設定ボタンＭＢ−３で利用者情報の設定をさせるように制御してもよい。また、転送確認部１０２ｅは、図６に示すように、利用者に入力装置１１３を介して、閉じるボタンＭＢ−１０をクリックさせるよう制御して、ウェブログサーバ装置２００に転送しないよう画像転送部１０２ｃを制御してもよい。
【０１２７】
そして、画像転送部１０２ｃは、読取画像表示部１０２ｄの処理により利用者から転送情報を転送すると入力があった場合に、利用者設定ファイル１０６ａに記憶された利用者設定情報に基づいて、通信制御インターフェース部１０４を介してネットワーク３００を経由してウェブログサーバ装置２００に接続し、読取画像ファイル１０６ｂに記憶された画像情報をウェブログサーバ装置２００に転送する（ステップＳＢ−５）。
【０１２８】
そして、図８に示すように、ウェブログサーバ装置２００は、ウェブログサーバ装置２００にネットワーク３００を介して接続している端末装置に、読取画像（読取画像表示画面ＭＣ−１）が掲載されたウェブログサイトＭＣ−２を提供する（ステップＳＢ−６）。ここで、読取画像転送装置１００は、利用者に入力装置１１３を介して、図６のブログ確認ボタンＭＢ−８をクリックさせるよう制御し、表示装置１１４を制御して、図８に示すようにブラウザを介してウェブログサイトを確認できるよう構成してもよい。
【０１２９】
そして、メール通知部１０２ｍは、画像転送部１０２ｃの処理により転送された画像情報のウェブログへの掲載が成功したか否かの掲載成否情報を、通信制御インターフェース部１０４を制御してウェブログサーバ装置２００から受信し、メール通知リストファイル１０６ｅに記憶された、利用者識別情報に対応するメールアドレスを送信先として、掲載成否情報を利用者に通知するメールを送信する（ステップＳＢ−７）。ここで、メール通知部１０２ｍは、掲載成否情報として、利用者識別情報や掲載成功情報、エラーコード等を受信し、当該掲載成否情報をメール送信してもよい。これにて、読取画像転送処理が終了する。
【０１３０】
［利用者設定編集処理］
ここで、利用者設定編集部１０２ｈの処理による利用者設定編集処理の詳細について図９〜図１２を参照して説明する。図９および図１０は、本実施の形態における利用者設定編集部１０２ｈの処理により表示された操作画面の一例を示す図である。なお、利用者設定編集部５０２ｈの処理も以下と同様であるので説明を省略する。ここで、図９および図１０の操作画面は、接続名設定画面ＭＤ−１、ブログタイプ設定画面ＭＤ−２、利用者識別情報設定画面ＭＤ−３、パスワード設定画面ＭＤ−４、エンドポイント設定画面ＭＤ−５、プロキシ設定画面ＭＤ−６、プロキシ取得ボタンＭＤ−７、削除ボタンＭＤ−８、追加ボタンＭＤ−９、登録ボタンＭＤ−１０、閉じるボタンＭＤ−１１、掲載成否通知先メールアドレス設定画面ＭＤ−１２から構成される。
【０１３１】
本プログラムのインストール直後など、利用者が最初に本読取画像転送装置１００を利用する場合等には、接続先などの設定を行い利用者設定情報を入力する。具体的には、利用者設定編集部１０２ｈは、利用者に入力装置１１３を介して、図６に示した確認画面の設定ボタンＭＢ−３をクリックさせるよう制御し、図９に示すように設定画面を表示させるよう制御する。
【０１３２】
そして、利用者設定編集部１０２ｈは、利用者に入力装置１１３を介して、接続名設定画面ＭＤ−１に接続名を、ブログタイプ設定画面ＭＤ−２にブログタイプ（ウェブログの種類）を入力させるよう制御する。
【０１３３】
そして、利用者設定編集部１０２ｈは、各種ウェブログ用環境設定ファイル１０６ｅに記憶された環境設定情報に基づいて、入力されたブログタイプに対応する環境設定情報を利用者設定情報に設定し利用者設定ファイル１０６ａに格納する。ここで、利用者設定編集部１０２ｈは、利用者に入力装置１１３を介して、ウェブログサーバ装置２００を一覧から選択させるよう制御してもよい。
【０１３４】
ここで、本実施の形態においては、ブログタイプは大きく２つに大別され、ＭｏｖａｂｌｅＴｙｐｅのウェブログにおいては、画像転送部１０２ｃは、転送プロトコルとしてＸＭＬ−ＲＰＣを用いて転送し、メールでの投稿を可能としているウェブログにおいては、画像転送部１０２ｃは、転送プロトコルとしてＳＭＴＰを用いる。
【０１３５】
ＭｏｖａｂｌｅＴｙｐｅのブログタイプが利用者設定情報として入力された場合は、利用者設定編集部１０２ｈは、図１０に示すように、利用者に入力装置１１３を介して、利用者識別情報設定画面ＭＤ−３に利用者識別情報を、パスワード設定画面ＭＤ−４にパスワードを、エンドポイント設定画面ＭＤ−５に接続先アドレスとしてエンドポイントを、プロキシ設定画面ＭＤ−６にプロキシを設定させるよう制御する。なお、利用者設定編集部１０２ｈは、利用者にプロキシ取得ボタンＭＤ−７をクリックさせることにより、プロキシを自動設定するよう制御してもよい。
【０１３６】
一方、メールでの投稿を可能としているブログタイプが設定された場合は、利用者設定編集部１０２ｈは、利用者に入力装置１１３を介して、利用者のメールアドレス（宛て先）、接続先アドレスとしてのメールアドレス（送信元）、メールサーバ（ＳＭＴＰ）、トップページＵＲＬ等を入力させるよう制御する。
【０１３７】
そして、利用者設定編集部１０２ｈは、利用者に入力装置１１３を介して登録ボタンＭＤ−１０をクリックさせるよう制御し、利用者により入力された各種設定情報を利用者設定情報として利用者設定ファイル１０６ａに格納する。
【０１３８】
以上により、設定処理が完了する。なお、利用者設定情報は利用者設定ファイル１０６ａに記憶されるので、２回目以降の利用の際には再度の設定は不要である。また、上記の各入力は、自動入力されるよう構成してもよく、例えば、利用者設定編集部１０２ｈは、プロトコルを自動認識するよう構成してもよい。
【０１３９】
また、ここで、利用者設定編集部１０２ｈは、利用者に入力装置１１３を介して、追加ボタンＭＤ−９をクリックさせるよう制御することにより、利用者設定情報を追加するよう制御してもよい。また、利用者設定編集部１０２ｈは、利用者に入力装置１１３を介して、削除ボタンＭＤ−８をクリックさせるよう制御することにより、利用者情報を削除してもよい。
【０１４０】
また、ここで、メール通知部１０２ｍは、利用者に入力装置１１３を介して、掲載成否通知先メールアドレス設定画面ＭＤ−１２に、掲載成否情報の通知先メールアドレスを入力させるよう制御し、入力されたメールアドレスを利用者識別情報と対応付けてメール通知リストファイル１０６ｅに格納してもよい。
【０１４１】
また、ここで、利用者設定編集部１０２ｈは、投稿オプションを利用者に入力させるよう制御してもよい。図１１は投稿オプションの入力画面の一例を示す図である。ここで、図１１の入力画面は、カテゴリ選択画面ＭＥ−１、記事状態選択画面ＭＥ−２、公開時期設定画面ＭＥ−３、コメント受付選択画面ＭＥ−４、トラックバック受付選択画面ＭＥ−５、トラックバック先設定画面ＭＥ−６、ＯＫボタンＭＥ−７から構成される。
【０１４２】
図１１に示すように、利用者設定編集部１０２ｈは、利用者に入力装置１１３を介して、カテゴリ選択画面ＭＥ−１にウェブログの記事のカテゴリを選択させるよう制御する。ここで、読取画像転送装置１００は、カテゴリ等をウェブログサーバ装置２００から自動的に取得するよう構成してもよい。また、利用者設定編集部１０２ｈは、利用者に入力装置１１３を介して、記事状態選択画面ＭＥ−２に記事の状態、例えば、「今すぐ公開」するか「後で公開」するかを選択させるよう制御する。利用者設定編集部１０２ｈは、記事状態選択画面ＭＥ−２で「後で公開」が選択された場合に、利用者に入力装置１１３を介して、公開時期設定画面ＭＥ−３で公開時期を入力するよう制御してもよい。また、利用者設定編集部１０２ｈは、利用者に入力装置１１３を介して、コメント受付選択画面ＭＥ−４にコメントを受付けるか否かを選択するよう制御する。また、利用者設定編集部１０２ｈは、利用者に入力装置１１３を介して、トラックバック受付選択画面ＭＥ−５にトラックバックを受付けるか否かを選択させるよう制御する。また、利用者設定編集部１０２ｈは、トラックバック受付選択画面ＭＥ−５でトラックバックを受付けると選択された場合に、利用者に入力装置１１３を介して、トラックバック先設定画面ＭＥ−６にトラックバック先ＵＲＬを入力させるよう制御する。そして、利用者設定編集部１０２ｈは、利用者に入力装置１１３を介して、ＯＫボタンＭＥ−７をクリックさせることにより、上記各投稿オプションを記憶部１０６（例えば、利用者設定ファイル１０６ａ）に格納するよう制御する。
【０１４３】
ここで、利用者設定編集部１０２ｈは、動作環境設定を利用者に入力させるよう制御してもよい。図１２は、動作環境設定の入力画面の一例を示す図である。ここで、図１２の動作環境設定入力画面は、接続先アドレス入力画面ＭＦ−１、利用者識別情報入力画面ＭＦ−２、パスワード入力画面ＭＦ−３、ブログタイプ選択画面ＭＦ−４、自己診断ボタンＭＦ−５、タイトル入力画面ＭＦ−６、カテゴリ入力画面ＭＦ−７、追加と削除ボタンＭＦ−８、公開／非公開ラジオボタンＭＦ−９、コメント受付ラジオボタンＭＦ−１０、トラックバック受付ラジオボタンＭＦ−１１、有効期限入力画面ＭＦ−１２、ＯＫボタンＭＦ−１３、キャンセルボタンＭＦ−１４から構成される。
【０１４４】
図１２に示すように、利用者設定編集部１０２ｈは、利用者に入力装置１１３を介して、接続先アドレス入力画面ＭＦ−１に接続先アドレスを、利用者識別情報入力画面ＭＦ−２に利用者識別情報を、パスワード入力画面ＭＦ−３にパスワードを、ブログタイプ選択画面ＭＦ−４にブログタイプを、入力させるよう制御する。ここで、図１２に示すように、利用者設定編集部１０２ｈは、利用者に入力装置１１３を介して、自己診断ボタンＭＦ−５をクリックさせるよう制御し、自己診断処理としてテスト投稿を行うことでＨＴＴＰパラメタを微調整するよう構成してもよい。
【０１４５】
また、図１２に示すように、利用者設定編集部１０２ｈは、利用者に入力装置１１３を介して、タイトル入力画面ＭＦ−６にタイトルを、カテゴリ入力画面ＭＦ−７にウェブログ記事のカテゴリを、追加と削除ボタンＭＦ−８で設定情報の追加または削除を行うか否かを入力させるよう制御する。また、利用者設定編集部１０２ｈは、利用者に入力装置１１３を介して、公開／非公開ラジオボタンＭＦ−９でウェブログ公開するか否かを、コメント受付ラジオボタンＭＦ−１０でコメントを受付けるか否かを、トラックバック受付ラジオボタンＭＦ−１１でトラックバックを受付けるか否かを、有効期限入力画面ＭＦ−１２でウェブログ掲載の有効期限を、入力させるよう制御する。
【０１４６】
そして、利用者設定編集部１０２ｈは、利用者に入力装置１１３を介して、ＯＫボタンＭＦ−１３をクリックさせるよう制御し、ＯＫボタンＭＦ−１３をクリックされた場合に、上記各種設定を利用者設定ファイル１０２ａに格納する。一方、キャンセルボタンＭＦ−１４がクリックされた場合は、利用者設定編集部１０２ｈは、利用者設定を更新することなく設定処理を終了する。これにて、設定処理の説明を終える。
【０１４７】
以上で、本実施の形態における本読取画像転送装置の処理の説明を終える。以上のように構成したことにより、本実施の形態における本読取画像転送システムの処理の説明を終える。上記実施の形態によれば、コンピュータ操作に不慣れな利用者であっても簡単にウェブログの投稿ができ、煩雑な操作手順を省略することができる。また、利用者が自由に作成した原稿を任意のウェブログに登録することができる。
【０１４８】
また、煩雑なキーボード入力が不要になるという効果を奏する。特に、２回目以降の利用時に煩雑な操作手順を省略することができ、２、３回程度の操作（例えば、読込開始、投稿確認等）で、ブログに記事を投稿することができる。また、複数のウェブログサーバ装置毎に、ウェブログに接続、転送または掲載するための環境設定情報を記憶した各種ウェブログ用環境設定ファイルを備えたので、利用者が本来設定しなければならない環境設定の項目数を少なくし、利用開始までの時間・手続きを少なくすることができる。また、ブログ投稿方法（転送プロトコル等）の差異を吸収することができる。
【０１４９】
これにて、本読取画像転送装置１００の処理の説明を終える。
【０１５０】
［本読取画像転送システムの処理］
次に、情報通信端末装置を備えて構成された本実施の形態における本読取画像転送システムの処理の一例について、以下に図１３および図１４を参照して詳細に説明する。
【０１５１】
［本読取画像転送システムの読取画像転送処理（掲載指示）］
まず、本読取画像転送システムにおける読取画像転送処理（掲載指示）の詳細について図１３を参照して説明する。図１３は、本実施の形態における本読取画像転送システムの読取画像転送処理（掲載指示）の一例を示すフローチャートである。
【０１５２】
図１３に示すように、まず、読取画像転送装置１００は、画像読取部１０２ａの処理により、画像読取装置１１２を制御して、原稿から画像情報を読取る（ステップＳＣ−１）。
【０１５３】
つぎに、読取画像転送装置１００は、読取画像格納部１０２ｂの処理により、画像読取部１０２ａにより読取られた画像情報を読取画像ファイル１０６ｂに格納する（ステップＳＣ−２）。
【０１５４】
そして、読取画像転送装置１００は、画像添付メール送信部１０２ｆの処理により、読取画像格納部１０２ｂにより読取画像ファイル１０６ｂに格納された画像情報を添付して情報通信端末装置５００にメールを送信する（ステップＳＣ−３）。ここで、画像添付メール送信部１０２ｆは、画像サイズを縮小した画像情報（例えば、サムネイル画像）を添付してメールを送信してもよい。また、画像添付メール送信部１０２ｆは、ＩＣカード課金制御部１０２ｊによってＩＣカードから課金された場合に、読取画像ファイル１０６ｂに記憶された画像情報を添付して情報通信端末装置５００にメールを送信するよう構成してもよい。
【０１５５】
また、ここで、赤外線通信部１０２ｉは、赤外線通信装置１１５を制御して赤外線通信を行い利用者ＩＤ情報および／またはメールアドレス情報を取得し、画像添付メール送信部１０２ｆは、赤外線通信部１０２ｉの処理により取得されたメールアドレス、または、赤外線通信部１０２ｉの処理により取得された利用者ＩＤ情報に対応する利用者情報ファイル１０６ｃに記憶されたメールアドレスを送信先として、メールを情報通信端末装置５００に送信してもよい。また、ここで、利用者情報格納部１０２ｋは、赤外線通信部１０２ｉの処理により利用者ＩＤおよび／またはメールアドレスを取得した場合に、利用者情報ファイル１０６ｃに格納するよう構成してもよい。
【０１５６】
そして、読取画像転送装置１００は、画像転送部１０２ｃの処理により、利用者設定ファイル１０６ａに記憶された利用者設定情報に基づいて、通信制御インターフェース部１０４を介してネットワーク３００を経由してウェブログサーバ装置２００に接続し、読取画像ファイル１０６ｂに記憶された画像情報をウェブログサーバ装置２００に転送する（ステップＳＣ−４）。ここで、画像転送部１０２ｃは、ＩＣカード課金制御部１０２ｊの制御によりＩＣカードから課金された場合に、読取画像ファイル１０６ｂに記憶された画像情報をウェブログサーバ装置２００に転送するよう構成してもよい。ここで、ステップＳＣ−３とステップＳＣ−４は、いずれを先とする構成としてもよい。また、本実施の形態における本読取画像転送システムにおいては、ウェブログサーバ装置２００は、読取画像転送装置１００から転送された画像情報をデータベースに格納し、掲載指示情報を受信するまで読取画像をウェブログに掲載するよう制御は行わない。
【０１５７】
つづいて、情報通信端末装置５００は、画像添付メール受信部５０２ａの処理により読取画像転送装置１００から受信したメールに添付された画像情報を、読取画像格納部５０２ｂの処理により読取画像ファイル５０６ｂに格納し、読取画像表示部５０２ｄの処理により、読取画像ファイル５０６ｂに格納された画像情報を表示装置５１４に表示する制御する。
【０１５８】
そして、情報通信端末装置５００は、掲載確認部５０２ｆの処理により、読取画像表示部５０２ｄによって表示された画像情報に対応する、画像転送部１０２ｃによってウェブログサーバ装置２００に転送された画像情報を、ウェブログに掲載するか否かを利用者に入力装置５１３を介して入力させるよう制御する（ステップＳＣ−５）。
【０１５９】
そして、情報通信端末装置５００は、掲載指示送信部５０２ｇの処理により、掲載確認部５０２ｆの制御により利用者から画像情報を掲載すると入力があった場合に、画像転送部１０２ｃによりウェブログサーバ装置２００に転送された画像情報をウェブログに掲載するようウェブログサーバ装置２００を制御する掲載指示情報を、ウェブログサーバ装置２００に送信する（ステップＳＣ−６）。
【０１６０】
そして、掲載指示情報を受信したウェブログサーバ装置２００は、ウェブログサーバ装置２００にネットワーク３００を介して接続している端末装置に、読取画像が掲載されたウェブログサイトを提供する（ステップＳＣ−７）。具体的には、掲載指示情報を受信したウェブログサーバ装置２００は、ウェブサイトからデータベースに格納された画像情報に対しリンクを形成するよう制御してもよい。
【０１６１】
そして、ウェブログサーバ装置２００は、画像転送部１０２ｍにより転送された画像情報のウェブログへの掲載が成功したか否かの掲載成否情報を読取画像転送装置１００に送信する。掲載成否情報を受信した読取画像転送装置１００は、メール通知部１０２ｍの処理により、メール通知リストファイル１０６ｅに記憶された利用者識別情報に対応するメールアドレスを送信先として、掲載成否情報を通知するメールを送信する（ステップＳＣ−８）。これにより、利用者の情報通信端末装置５００は、掲載成否情報出力部５０２ｉの処理により、通信制御インターフェース部５０４を制御してメールを受信し、表示装置５１４を制御して掲載成否情報を利用者に提示する。ここで、情報通信端末装置５００は、掲載成否情報出力部５０２ｉの処理により、掲載成否情報を直接、ウェブログサーバ装置２００から受信してもよい。
【０１６２】
［本読取画像転送システムの読取画像転送処理（携帯電話から直接投稿）］
つぎに、本読取画像転送システムにおける読取画像転送処理（携帯電話から直接投稿）の詳細について図１４を参照して説明する。図１４は、本実施の形態における本読取画像転送システムの読取画像転送処理（携帯電話から直接投稿）の一例を示すフローチャートである。
【０１６３】
図１４に示すように、まず、読取画像転送装置１００は、画像読取部１０２ａの処理により、画像読取装置１１２を制御して、原稿から画像情報を読取る（ステップＳＤ−１）。
【０１６４】
つぎに、読取画像転送装置１００は、読取画像格納部１０２ｂの処理により、画像読取部１０２ａにより読取られた画像情報を読取画像ファイル１０６ｂに格納する（ステップＳＤ−２）。
【０１６５】
そして、読取画像転送装置１００は、画像添付メール送信部１０２ｆの処理により、読取画像格納部１０２ｂにより読取画像ファイル１０６ｂに格納された画像情報を添付して情報通信端末装置５００にメールを送信する（ステップＳＤ−３）。ここで、画像添付メール送信部１０２ｆは、画像サイズを縮小した画像情報（例えば、サムネイル画像）を添付してメールを送信してもよい。また、画像添付メール送信部１０２ｆは、ＩＣカード課金制御部１０２ｊによってＩＣカードから課金された場合に、読取画像ファイル１０６ｂに記憶された画像情報を添付して情報通信端末装置５００にメールを送信するよう構成してもよい。
【０１６６】
また、ここで、赤外線通信部１０２ｉは、赤外線通信装置１１５を制御して赤外線通信を行い利用者ＩＤ情報および／またはメールアドレス情報を取得し、画像添付メール送信部１０２ｆは、赤外線通信部１０２ｉの処理により取得されたメールアドレス、または、赤外線通信部１０２ｉの処理により取得された利用者ＩＤ情報に対応する利用者情報ファイル１０６ｃに記憶されたメールアドレスを送信先として、メールを情報通信端末装置５００に送信してもよい。また、ここで、利用者情報格納部１０２ｋは、赤外線通信部１０２ｉの処理により利用者ＩＤおよび／またはメールアドレスを取得した場合に、利用者情報ファイル１０６ｃに格納するよう構成してもよい。
【０１６７】
つづいて、情報通信端末装置５００は、画像添付メール受信部５０２ａの処理により読取画像転送装置１００から受信したメールに添付された画像情報を、読取画像格納部５０２ｂの処理により読取画像ファイル５０６ｂに格納し、読取画像表示部５０２ｄの処理により、読取画像ファイル５０６ｂに格納された画像情報を表示装置５１４に表示するよう制御する。
【０１６８】
そして、情報通信端末装置５００は、転送確認部５０２ｅの処理により、読取画像表示部５０２ｄにより表示された画像情報をウェブログサーバ装置２００に転送するか否かを、利用者に入力装置５１３を介して入力させるよう制御する（ステップＳＤ−４）。
【０１６９】
そして、情報通信端末装置５００は、画像転送部５０２ｃの処理により、転送確認部５０２ｅの制御により利用者から画像情報を転送すると入力があった場合に、利用者設定ファイル５０６ａに記憶された利用者設定情報に基づいて、ウェブログサーバ装置２００に接続し、読取画像ファイル５０６ｂに格納された画像情報をウェブログサーバ装置２００に転送する（ステップＳＤ−５）。
【０１７０】
これにより、ウェブログサーバ装置２００は、ウェブログサーバ装置２００にネットワーク３００を介して接続している端末装置に、読取画像が掲載されたウェブログサイトを提供する（ステップＳＤ−６）。ここで、ウェブログサーバ装置２００は、画像転送部５０２ｍにより転送された画像情報のウェブログへの掲載が成功したか否かの掲載成否情報を情報通信端末装置５００に送信する。
【０１７１】
そして、情報通信端末装置５００は、掲載成否情報出力部５０２ｉの処理により、通信制御インターフェース部５０４を制御して掲載成否情報を受信し、入出力制御インターフェース部５０８を介して表示装置５１４を制御して掲載成否情報を利用者に通知する（ステップＳＤ−７）。ここで、掲載成否情報出力部５０２ｉは、掲載成否情報を、メール通知部１０２ｍの処理により読取画像転送装置１００を介して受信してもよい。また、ここで、情報通信端末装置５００は、掲載成否情報出力部５０２ｉの処理により、掲載成否情報として、利用者識別情報や掲載成功情報、エラーコード等を受信し、当該掲載成否情報を表示装置５１４に出力してもよい。
【０１７２】
以上で、本実施の形態における本読取画像転送システムの処理の説明を終える。上記実施の形態によれば、コンピュータ操作に不慣れな利用者であっても簡単にウェブログの投稿ができ、煩雑な操作手順を省略することができる。また、利用者が自由に作成した原稿を任意のウェブログに登録することができる。
【０１７３】
また、煩雑なキーボード入力が不要になるという効果を奏する。特に、２回目以降の利用時に煩雑な操作手順を省略することができ、２、３回程度の操作（例えば、読込開始、投稿確認等）で、ブログに記事を投稿することができる。また、複数のウェブログサーバ装置２００毎に、接続先アドレス情報または転送プロトコルを環境設定情報を記憶した各種ウェブログ用環境設定ファイルを備えたので、ブログ投稿方法（転送プロトコル等）の差異を吸収することができる。
【０１７４】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。ここで、図１５は、ウェブログ管理サーバ装置６００を更に備えて構成されたシステムとその処理の一例を示す概念図である。
【０１７５】
すなわち、図１５に示すように、他の実施の形態における本システムは、概略的に読取画像転送装置１００と、ウェブログサーバ装置２００と、情報通信端末装置５００と、ウェブログ管理サーバ装置６００とを、ネットワーク３００を介して通信可能に接続して構成される。また、ウェブログ管理サーバ装置６００の記憶部は、複数のウェブログサーバ装置２００毎に、接続先アドレス情報、転送プロトコル、または画像掲載フォーマット情報を基本環境設定情報として記憶したウェブログ管理マスターファイル６０６を備える。
【０１７６】
本システムにおいて、利用者設定編集部１０２ｈは、図１５に示すように、ウェブログ管理マスターファイル６０６に記憶された基本環境設定情報を参照し、各種ウェブログ用環境設定ファイル１０６ｄに記憶された環境設定情報を更新する。すなわち、読取画像転送装置１００は、利用者設定編集部１０２ｈの処理により、通信制御インターフェース部１０４を制御して、ウェブログ管理サーバ装置６００に接続し、ウェブログ管理マスターファイル６０６に記憶された基本環境設定情報をダウンロードし、各種ウェブログ用環境設定ファイル１０６ｄに記憶された環境設定情報を更新するよう制御する。
【０１７７】
ここで、利用者設定編集部１０２ｈは、図１５に示すように、各種ウェブログ用環境設定ファイル１０６ｄに記憶された環境設定ファイルをウェブログ管理サーバ装置６００にアップロードするよう構成してもよい。すなわち、利用者設定編集部１０２ｈは、環境設定ファイルをアップロードすることにより、ウェブログ管理サーバ装置６００に、複数の読取画像転送装置１００または情報通信端末装置５００から、各種ウェブログサーバ装置２００の接続先アドレス情報や転送プロトコルや画像掲載フォーマット情報等の環境設定ファイルを収集させるよう制御してもよい。例えば、ウェブログサーバ装置６００の制御部６０２は、複数の読取画像転送装置１００または情報通信端末装置５００に対し、各種ウェブログ用環境設定ファイル（１０６ｄまたは５０６ｃ）に記憶された環境設定情報をアップロードさせるよう制御し、アップロードされた環境設定情報を収集してウェブログ管理マスターファイル６０６に基本環境設定情報として格納し、ウェブログ管理用マスターファイルに記憶された基本環境設定情報を読取画像転送装置１００または情報通信端末装置５００にダウンロードさせるよう制御する。なお、上記他の実施の形態における本システムにおいて、情報通信端末装置５００の制御部５０２において機能する利用者設定編集部５０２ｈも、利用者設定編集部１０２ｈの機能と同様であるので説明を省略する。
【０１７８】
ここで、画像読取装置１１２を介して読取画像転送装置１００に画像情報を読取らせるための原稿媒体について図１６〜図１８を参照して説明する。図１６は、原稿媒体として、バーコードが表示されたシートの一例を示す図である。また、図１７は、原稿媒体として、ＱＲコードが表示されたシートの一例を示す図である。また、図１８は、原稿媒体として、ＲＦＩＤチップを備えたキャリアシートの使用例を示す図である。
【０１７９】
図１６に示すように、画像読取装置１１２を介して読取画像転送装置１００に読取らせる原稿媒体には、バーコードが表示されたシートを用いてもよい。また、図１７に示すように、原稿媒体には、ＱＲコードが表示されたシートを用いてもよい。ここで、バーコードまたはＱＲコードは、接続先アドレス情報、転送プロトコル、および、利用者識別情報のうち少なくとも一つを、読取画像転送装置１００に読取らせるよう表示されている。これにより、文字等認識部１０２ｇは、画像読取部１０２ａの処理により読取られた画像情報から、接続先アドレス情報や転送プロトコルや利用者識別情報等の情報を取得する。そして、利用者設定編集部１０２ｈは、取得された接続先アドレス情報等に基づいて、利用者設定ファイル１０６ａに記憶された利用者設定情報を更新するので、利用者は接続先などの設定作業をすることなく読取画像をウェブログに掲載することができる。
【０１８０】
また、図１８に示すように、無線通信手段を備えた画像読取装置１１２を介して画像情報を読取らせるための原稿を画像読取装置１１２に搬送する媒体として、キャリアシートを用いてもよい。すなわち、図１８に示すように、本キャリアシートは、透明シートおよび台紙シートを備え、少なくとも一辺を原稿を挿入可能に固定したキャリアシートであり、接続先アドレス情報、転送プロトコル、および、利用者識別情報のうち少なくとも一つを記憶し、無線通信手段を備えた画像読取装置１１２を介して読取画像転送装置１００に送信するＲＦＩＤチップを備えている。利用方法として、まず、利用者は、原稿をキャリアシートの透明なシートと台紙シートの間に挿入し（図１８（１）参照）、キャリアシートを画像読取装置１１２の読取口に設置する（図１８（２）参照）。つぎに、読取画像転送装置１００は、画像読取部１０２ａの処理により、無線通信手段を備えた画像読取装置１１２を制御して、画像情報、および、ＲＦＩＤチップに記憶された接続先アドレス情報等の情報を読取る（図１８（３）参照）。これにより、読取画像転送装置１００は、利用者設定編集部１０２ｈの処理により、取得された接続先アドレス情報等に基づいて、利用者設定ファイル１０６ａに記憶された利用者設定情報を更新するので、利用者は接続先などの設定作業をすることなく読取画像をウェブログに掲載することができる。
【０１８１】
また、上記実施の形態においては、本読取画像転送装置１００がスタンドアローンの形態で処理を行う場合を一例に説明したが、読取画像転送装置１００とは別筐体で構成されるクライアント端末からの要求に応じて処理を行うように構成してもよい。特に、少なくとも画像読取部を備えた装置と、少なくとも転送確認部を備えた装置との別筐体で構成される場合に、画像読取部を備えた装置の画像読取処理を受けて、転送確認部を備えた装置の転送確認部が起動されるよう構成してもよい。このように構成することで、転送確認部を備えた装置（例えばコンピュータ等）の操作を不要とすることができる。
【０１８２】
また、上記実施の形態においては、ブログタイプ（ウェブログの種類）はウェブログサーバ装置２００につき１種類であるように説明を行ったが、ブログタイプは複数種備えて構成されてもよい。この場合、各種ウェブログ用環境設定ファイル１０６ｄおよび各種ウェブログ用環境設定ファイル５０６ｃは、複数種のブログタイプから構成されるウェブログサーバ装置２００のうちの種類毎に接続先アドレス情報、転送プロトコル等を記憶する。
【０１８３】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。このほか、上記文献中や図面中で示した処理手順、制御手順、具体的名称、各処理の登録データやパラメタを含む情報、画面例、データベース構成については、特記する場合を除いて任意に変更することができる。
【０１８４】
また、読取画像転送装置１００および情報通信端末装置５００に関して、図示の各構成要素は機能概略的なものであり、必ずしも物理的に図示の如く構成されていることを要しない。
【０１８５】
例えば、読取画像転送装置１００および情報通信端末装置５００の各装置が備える処理機能、特に制御部１０２および制御部５０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて読取画像転送装置１００に機械的に読み取られる。すなわち、ＲＯＭまたはＨＤなどの記憶部１０６および記憶部５０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１８６】
また、このコンピュータプログラムは、読取画像転送装置１００または情報通信端末装置５００に対して任意のネットワーク３００を介して接続されたアプリケーションプログラムサーバに記憶されていてもよく、必要に応じてその全部または一部をダウンロードすることも可能である。
【０１８７】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１８８】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１８９】
記憶部１０６および記憶部５０６に格納される各種のデータベース等（利用者設定ファイル１０６ａ〜メール通知リストファイル１０６ｅ、利用者設定ファイル５０６ａ〜各種ウェブログ用環境設定ファイル５０６ｃ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０１９０】
また、読取画像転送装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【０１９１】
更に、装置の分散・統合の具体的形態は図示するものに限られず、その全部または一部を、各種の付加等に応じた任意の単位で、機能的または物理的に分散・統合して構成することができる。
【産業上の利用可能性】
【０１９２】
以上詳述に説明したように、本発明によれば、コンピュータ操作に不慣れな利用者であっても簡単にウェブログの投稿ができ、煩雑な操作手順を省略することができ、また、利用者が自由に作成した原稿を任意のウェブログに登録することができる、読取画像転送装置、読取画像転送プログラム、読取画像転送方法、プログラム、シート、および、キャリアシートを提供することができるので、マーケティング分野、情報通信分野等において利用可能である。
【０１９３】
特に、ウェブログの利用用途が拡大することにより、ウェブログ利用者層の拡大を図ることができる。また、同時にスキャナ等の画像読取装置の用途および利用者層が拡大するという効果を奏する。
【図面の簡単な説明】
【０１９４】
【図１】本発明の基本原理を示すフローチャートである。
【図２】本発明が適用される本読取画像転送システムの構成の一例を示すブロック図である。
【図３】本読取画像転送システムにおける本情報通信端末装置５００の構成の一例を示すブロック図である。
【図４】本実施の形態における本読取画像転送装置１００の読取画像転送処理の一例を示すフローチャートである。
【図５】読取画像転送処理の処理画面の一例を示す図である。
【図６】読取画像転送処理の確認画面の一例を示す図である。
【図７】読取画像転送処理の文字認識画面の一例を示す図である。
【図８】読取画像転送処理結果のウェブログ画面の一例を示す図である。
【図９】本実施の形態における利用者設定編集部１０２ｈの処理により表示された操作画面の一例を示す図である。
【図１０】本実施の形態における利用者設定編集部１０２ｈの処理により表示された操作画面の一例を示す図である。
【図１１】投稿オプションの入力画面の一例を示す図である。
【図１２】動作環境設定の入力画面の一例を示す図である。
【図１３】本実施の形態における本読取画像転送システムの読取画像転送処理（掲載指示）の一例を示すフローチャートである。
【図１４】本実施の形態における本読取画像転送システムの読取画像転送処理（携帯電話から直接投稿）の一例を示すフローチャートである。
【図１５】ウェブログ管理サーバ装置６００を更に備えて構成されたシステムとその処理の一例を示す概念図である。
【図１６】原稿媒体として、バーコードが表示されたシートの一例を示す図である。
【図１７】原稿媒体として、ＱＲコードが表示されたシートの一例を示す図である。
【図１８】原稿媒体として、ＲＦＩＤチップを備えたキャリアシートの使用例を示す図である。
【符号の説明】
【０１９５】
１００  読取画像転送装置
１０２  制御部
１０２ａ  画像読取部
１０２ｂ  読取画像格納部
１０２ｃ  画像転送部
１０２ｄ  読取画像表示部
１０２ｅ  転送確認部
１０２ｆ  画像添付メール送信部
１０２ｇ  文字等認識部
１０２ｈ  利用者設定編集部
１０２ｉ  赤外線通信部
１０２ｊ  ＩＣカード課金制御部
１０２ｋ  利用者情報格納部
１０２ｍ  メール通知部
１０４  通信制御インターフェース部
１０６  記憶部
１０６ａ  利用者設定ファイル
１０６ｂ  読取画像ファイル
１０６ｃ  利用者情報ファイル
１０６ｄ  各種ウェブログ用環境設定ファイル
１０６ｅ  メール通知リストファイル
１０８  入出力制御インターフェース部
１１２  画像読取装置
１１３  入力装置
１１４  表示装置
１１５  赤外線通信装置
１１６  ＩＣカード読取装置
２００  ウェブログサーバ装置
３００  ネットワーク
５００  情報通信端末装置
５０２  制御部
５０２ａ  画像添付メール受信部
５０２ｂ  読取画像格納部
５０２ｃ  画像転送部
５０２ｄ  読取画像表示部
５０２ｅ  転送確認部
５０２ｆ  掲載確認部
５０２ｇ  掲載指示送信部
５０２ｈ  利用者設定編集部
５０２ｉ  掲載成否情報出力部
５０４  通信制御インターフェース部
５０６  記憶部
５０６ａ  利用者設定ファイル
５０６ｂ  読取画像ファイル
５０６ｃ  各種ウェブログ用環境設定ファイル
５０８  入出力制御インターフェース部
５１３  入力装置
５１４  表示装置
５１５  赤外線通信装置
６００  ウェブログ管理サーバ装置
６０６  ウェブログ管理マスターファイル
【図１】
2008236702.tif 000003
【図２】
2008236702.tif 000004
【図３】
2008236702.tif 000005
【図４】
2008236702.tif 000006
【図５】
2008236702.tif 000007
【図６】
2008236702.tif 000008
【図７】
2008236702.tif 000009
【図８】
2008236702.tif 000010
【図９】
2008236702.tif 000011
【図１０】
2008236702.tif 000012
【図１１】
2008236702.tif 000013
【図１２】
2008236702.tif 000014
【図１３】
2008236702.tif 000015
【図１４】
2008236702.tif 000016
【図１５】
2008236702.tif 000017
【図１６】
2008236702.tif 000018
【図１７】
2008236702.tif 000019
【図１８】
2008236702.tif 000020